(57)【要約】【課題】放射線画像上の位置と、圧迫部材上の位置との対応を分かり易くすることができる、放射線画像撮影システム、医用撮影システム、制御方法、及び制御プログラムを提供する。【解決手段】マンモグラフィ装置１０の圧迫板３４は、放射線Ｒが照射される上面３４Ａ、上面３４Ａの反対側である乳房に接する側の下面３４Ｄ、及び上面３４Ａと下面３４Ｄとの間で上面３４Ａに平行な面のいずれかに、各面の面内位置を識別するための圧迫板目盛７０が付与されている。コンソール１２の第１表示制御部８２は、マンモグラフィ装置１０により撮影された放射線画像９０を表示部５８に表示させる制御を行う。コンソール１２の第２表示制御部８４は、圧迫板３４の面内位置に対応する放射線画像９０上の位置を表す、画像目盛７２を、表示部５８に表示された放射線画像９０に対して表示させる制御を行う。【選択図】図６
2020192181.tif 000002
【特許請求の範囲】
【請求項１】
放射線源と放射線検出器との間に配置された乳房を圧迫状態にし、前記放射線源による放射線が照射される第１の面、及び前記第１の面の反対側である乳房に接する側の第２の面のいずれかに、前記第１の面または前記第２の面の面内位置を識別するための第１位置識別情報が付与された圧迫部材が設けられ、前記圧迫状態の前記乳房の放射線画像を、前記放射線検出器により撮影するマンモグラフィ装置と、
前記マンモグラフィ装置により撮影された前記放射線画像を表示装置に表示させる制御を行う第１表示制御部と、
前記圧迫部材の前記面内位置に対応する前記放射線画像上の位置を表す、前記第１位置識別情報に対応する第２位置識別情報を、前記表示装置に表示された前記放射線画像に対して表示させる制御を行う第２表示制御部と、
を備えた放射線画像撮影システム。
【請求項２】
放射線源と放射線検出器との間に配置された乳房を圧迫状態にし、前記放射線源による放射線が照射される第１の面と、前記第１の面の反対側である乳房に接する側の第２の面との間で前記第１の面に平行な第３の面に、前記第３の面の面内位置を識別するための第１位置識別情報が付与された圧迫部材が設けられ、前記圧迫状態の前記乳房の放射線画像を、前記放射線検出器により撮影するマンモグラフィ装置と、
前記マンモグラフィ装置により撮影された前記放射線画像を表示装置に表示させる制御を行う第１表示制御部と、
前記圧迫部材の前記面内位置に対応する前記放射線画像上の位置を表す、前記第１位置識別情報に対応する第２位置識別情報を、前記表示装置に表示された前記放射線画像に対して表示させる制御を行う第２表示制御部と、
を備えた放射線画像撮影システム。
【請求項３】
前記第２表示制御部は、前記放射線画像の撮影後、予め定められた時間以上、前記圧迫部材が前記圧迫状態を維持している場合、前記第２位置識別情報を表示させる制御を行う、
請求項１または請求項２に記載の放射線画像撮影システム。
【請求項４】
前記第２表示制御部は、前記放射線画像の撮影後、前記圧迫状態のままで前記乳房の超音波画像を撮影する連続撮影を行う場合、前記第２位置識別情報を表示させる制御を行う、
請求項１または請求項２に記載の放射線画像撮影システム。
【請求項５】
前記乳房の乳腺量を表す乳腺量情報を取得する取得部をさらに備え、
前記第２表示制御部は、前記乳腺量情報が表す乳腺量が予め定められた乳腺量以上の場合を、前記連続撮影を行う場合とする、
請求項４に記載の放射線画像撮影システム。
【請求項６】
前記放射線画像に基づいて、前記乳房の乳腺の領域を表す領域情報を取得する取得部をさらに備え、
前記第２表示制御部は、前記領域情報が表す乳腺の領域の大きさが予め定められた大きさ以上の場合を、前記連続撮影を行う場合とする、
請求項４に記載の放射線画像撮影システム。
【請求項７】
前記第２表示制御部は、前記連続撮影が行われ、かつ前記放射線画像が複数の乳腺領域を含む場合、前記超音波画像の撮影が終了した乳腺領域と、前記超音波画像の撮影が未終了の乳腺領域とで前記第２位置識別情報の表示形態を異ならせる、
請求項４から請求項６のいずれか１項に記載の放射線画像撮影システム。
【請求項８】
前記第２表示制御部は、前記超音波画像の撮影が終了した場合、前記第２位置識別情報の表示を終了する、
請求項４から請求項６のいずれか１項に記載の放射線画像撮影システム。
【請求項９】
前記第２表示制御部は、前記第２位置識別情報の表示後に、前記圧迫部材による前記乳房の圧迫が解除された場合、前記第２位置識別情報の表示を終了する、
請求項１から請求項７のいずれか１項に記載の放射線画像撮影システム。
【請求項１０】
前記放射線画像には、前記第１位置識別情報の画像は含まれない、
請求項１から請求項９のいずれか１項に記載の放射線画像撮影システム。
【請求項１１】
前記圧迫部材の種類を検出する検出部をさらに備え、
前記第１位置識別情報は前記圧迫部材の種類に応じて予め定められており、
前記第２表示制御部は、前記検出部が検出した前記圧迫部材の種類に応じた前記第２位置識別情報を表示させる制御を行う、
請求項１から請求項１０のいずれか１項に記載の放射線画像撮影システム。
【請求項１２】
前記マンモグラフィ装置に、前記第１位置識別情報が付与された前記圧迫部材に代わり、前記第１位置識別情報が付与されていない圧迫部材が設けられ、前記第１位置識別情報が付与されていない圧迫部材により圧迫状態の前記乳房の放射線画像の撮影が行われた場合、
前記第２表示制御部は、前記第２位置識別情報を表示させる制御を行なわない、
請求項１から請求項１１のいずれか１項に記載の放射線画像撮影システム。
【請求項１３】
前記第２表示制御部は、前記放射線画像に含まれる前記乳房の乳腺の領域に対して前記第２位置識別情報を表示させる制御を行う、
請求項１から請求項１２のいずれか１項に記載の放射線画像撮影システム。
【請求項１４】
前記表示装置に表示された前記放射線画像上の位置の指定を受け付ける受付部をさらに備え、
前記第２表示制御部は、前記受付部が前記放射線画像上の位置の指定を受け付けた場合、前記第２位置識別情報を表示させる制御を行う、
請求項１から請求項１３のいずれか１項に記載の放射線画像撮影システム。
【請求項１５】
前記表示装置に表示された前記放射線画像上の位置の指定を受け付ける受付部をさらに備え、
前記第２表示制御部は、前記受付部が受け付けた前記放射線画像上の位置が前記乳房の乳腺の領域内の位置である場合、前記第２位置識別情報を表示させる制御を行う、
請求項１から請求項１３のいずれか１項に記載の放射線画像撮影システム。
【請求項１６】
前記第２表示制御部は、前記放射線画像における前記乳房の乳腺の領域に対する前記第２位置識別情報と、前記乳腺の領域以外に対する前記第２位置識別情報とを異なる表示形態で表示させる制御を行う、
請求項１から請求項１２のいずれか１項に記載の放射線画像撮影システム。
【請求項１７】
前記第２表示制御部は、前記放射線画像が前記乳腺の領域を複数含む場合、前記乳腺の領域毎に、前記第２位置識別情報の表示形態を異ならせる、
請求項１６に記載の放射線画像撮影システム。
【請求項１８】
前記第２表示制御部は、前記第１表示制御部が、前記表示装置に表示させた前記放射線画像の大きさを変化させた場合、前記放射線画像の大きさの変化に追従して前記第２位置識別情報の表示を変化させる制御を行う、
請求項１から請求項１７のいずれか１項に記載の放射線画像撮影システム。
【請求項１９】
前記第２表示制御部は、前記第２位置識別情報を可聴表示させる制御を行う、
請求項１から請求項１８のいずれか１項に記載の放射線画像撮影システム。
【請求項２０】
前記圧迫部材は、
前記乳房を圧迫する第１圧迫部材と、
前記第１圧迫部材に着脱が可能とされ、かつ前記第１位置識別情報が付与された第２圧迫部材と、を含む、
請求項１から請求項１９のいずれか１項に記載の放射線画像撮影システム。
【請求項２１】
請求項１から請求項２０のいずれか１項に記載の放射線画像撮影システムと、
圧迫部材により圧迫状態にされた乳房の超音波画像を撮影する超音波画像撮影装置と、
を備えた医用撮影システム。
【請求項２２】
放射線源と放射線検出器との間に配置された乳房を圧迫状態にし、前記放射線源による放射線が照射される第１の面、及び前記第１の面の反対側である乳房に接する側の第２の面のいずれかに、前記第１の面または前記第２の面の面内位置を識別するための第１位置識別情報が付与された圧迫部材が設けられ、前記圧迫状態の前記乳房の放射線画像を、前記放射線検出器により撮影するマンモグラフィ装置により撮影された前記放射線画像を表示装置に表示させる制御を行い、
前記圧迫部材の前記面内位置に対応する前記放射線画像上の位置を表す、前記第１位置識別情報に対応する第２位置識別情報を、前記表示装置に表示された前記放射線画像に対して表示させる制御を行う、
処理をコンピュータが実行する制御方法。
【請求項２３】
放射線源と放射線検出器との間に配置された乳房を圧迫状態にし、前記放射線源による放射線が照射される第１の面と、前記第１の面の反対側である乳房に接する側の第２の面との間で前記第１の面に平行な第３の面に、前記第３の面の面内位置を識別するための第１位置識別情報が付与された圧迫部材が設けられ、前記圧迫状態の前記乳房の放射線画像を、前記放射線検出器により撮影するマンモグラフィ装置により撮影された前記放射線画像を表示装置に表示させる制御を行い、
前記圧迫部材の前記面内位置に対応する前記放射線画像上の位置を表す、前記第１位置識別情報に対応する第２位置識別情報を、前記表示装置に表示された前記放射線画像に対して表示させる制御を行う、
処理をコンピュータが実行する制御方法。
【請求項２４】
放射線源と放射線検出器との間に配置された乳房を圧迫状態にし、前記放射線源による放射線が照射される第１の面、及び前記第１の面の反対側である乳房に接する側の第２の面のいずれかに、前記第１の面または前記第２の面の面内位置を識別するための第１位置識別情報が付与された圧迫部材が設けられ、前記圧迫状態の前記乳房の放射線画像を、前記放射線検出器により撮影するマンモグラフィ装置により撮影された前記放射線画像を表示装置に表示させる制御を行い、
前記圧迫部材の前記面内位置に対応する前記放射線画像上の位置を表す、前記第１位置識別情報に対応する第２位置識別情報を、前記表示装置に表示された前記放射線画像に対して表示させる制御を行う、
処理をコンピュータに実行させるための制御プログラム。
【請求項２５】
放射線源と放射線検出器との間に配置された乳房を圧迫状態にし、前記放射線源による放射線が照射される第１の面と、前記第１の面の反対側である乳房に接する側の第２の面との間で前記第１の面に平行な第３の面に、前記第３の面の面内位置を識別するための第１位置識別情報が付与された圧迫部材が設けられ、前記圧迫状態の前記乳房の放射線画像を、前記放射線検出器により撮影するマンモグラフィ装置により撮影された前記放射線画像を表示装置に表示させる制御を行い、
前記圧迫部材の前記面内位置に対応する前記放射線画像上の位置を表す、前記第１位置識別情報に対応する第２位置識別情報を、前記表示装置に表示された前記放射線画像に対して表示させる制御を行う、
処理をコンピュータに実行させるための制御プログラム。
【発明の詳細な説明】
【技術分野】
【０００１】
本開示は、放射線画像撮影システム、医用撮影システム、制御方法、及び制御プログラムに関する。
【背景技術】
【０００２】
被検者の乳房を圧迫部材により圧迫状態にして固定し、放射線源から圧迫状態の乳房に向けて放射線を照射させ、乳房を透過した放射線を放射線検出器により検出することにより放射線画像を撮影する放射線画像撮影装置が知られている。
【０００３】
例えば、特許文献１には、圧迫部材により圧迫状態とした乳房の放射線画像を撮影した後、撮影された放射線画像から病巣位置を特定し、圧迫状態が維持されている乳房に対して、特定した病巣位置を治療する技術が開示されている。特許文献１に記載の技術では、圧迫部材にマーカが設けられており、圧迫部材に設けられたマーカが放射線画像に写り込むため、放射線画像におけるマーカの画像の位置により、治療すべき病巣位置を特定している。
【先行技術文献】
【特許文献】
【０００４】
【特許文献１】特開２００６−２８０４４４号公報
【発明の概要】
【発明が解決しようとする課題】
【０００５】
ところで、被検者の乳房に沿って超音波プローブを走査することで、乳房の超音波画像を撮影する超音波画像撮影装置が知られており、圧迫部材による乳房の圧迫状態を維持したままで放射線画像及び超音波画像を連続して撮影することが可能な装置が開示されている。
【０００６】
圧迫状態の乳房を撮影した放射線画像を参照して超音波画像の撮影を行う場合、放射線画像と、圧迫状態にある乳房とでは、見え方等が異なる場合がある。そのため、放射線画像上の位置と、圧迫部材上の位置との対応が分かり難い場合がある。このように放射線画像及び超音波画像を連続して撮影する場合に、引用文献１の技術を適用しても、放射線画像上の位置に対応する圧迫部材上の位置を把握するには十分とは言えない場合がある。
【０００７】
本開示は、上記事情を考慮して成されたものであり、放射線画像上の位置と、圧迫部材上の位置との対応を分かり易くすることができる、放射線画像撮影システム、医用撮影システム、制御方法、及び制御プログラムを提供することを目的とする。
【課題を解決するための手段】
【０００８】
上記目的を達成するために本開示の第１の態様の放射線画像撮影システムは、放射線源と放射線検出器との間に配置された乳房を圧迫状態にし、放射線源による放射線が照射される第１の面、及び第１の面の反対側である乳房に接する側の第２の面のいずれかに、第１の面または前記第２の面の面内位置を識別するための第１位置識別情報が付与された圧迫部材が設けられ、圧迫状態の乳房の放射線画像を、放射線検出器により撮影するマンモグラフィ装置と、マンモグラフィ装置により撮影された放射線画像を表示装置に表示させる制御を行う第１表示制御部と、圧迫部材の面内位置に対応する放射線画像上の位置を表す、第１位置識別情報に対応する第２位置識別情報を、表示装置に表示された放射線画像に対して表示させる制御を行う第２表示制御部と、を備える。
【０００９】
また、上記目的を達成するために本開示の第２の態様の放射線画像撮影システムは、放射線源と放射線検出器との間に配置された乳房を圧迫状態にし、放射線源による放射線が照射される第１の面と、第１の面の反対側である乳房に接する側の第２の面との間で第１の面に平行な第３の面に、第３の面の面内位置を識別するための第１位置識別情報が付与された圧迫部材が設けられ、圧迫状態の乳房の放射線画像を、放射線検出器により撮影するマンモグラフィ装置と、マンモグラフィ装置により撮影された放射線画像を表示装置に表示させる制御を行う第１表示制御部と、圧迫部材の面内位置に対応する放射線画像上の位置を表す、第１位置識別情報に対応する第２位置識別情報を、表示装置に表示された放射線画像に対して表示させる制御を行う第２表示制御部と、を備える。
【００１０】
本開示の第３の態様の放射線画像撮影システムは、第１の態様または第２の態様の放射線画像撮影システムにおいて、第２表示制御部は、放射線画像の撮影後、予め定められた時間以上、圧迫部材が圧迫状態を維持している場合、第２位置識別情報を表示させる制御を行う。
【００１１】
本開示の第４の態様の放射線画像撮影システムは、第１の態様または第２の態様の放射線画像撮影システムにおいて、第２表示制御部は、放射線画像の撮影後、圧迫状態のままで乳房の超音波画像を撮影する連続撮影を行う場合、第２位置識別情報を表示させる制御を行う。
【００１２】
本開示の第５の態様の放射線画像撮影システムは、第４の態様の放射線画像撮影システムにおいて、乳房の乳腺量を表す乳腺量情報を取得する取得部をさらに備え、第２表示制御部は、乳腺量情報が表す乳腺量が予め定められた乳腺量以上の場合を、連続撮影を行う場合とする。
【００１３】
本開示の第６の態様の放射線画像撮影システムは、第４の態様の放射線画像撮影システムにおいて、放射線画像に基づいて、乳房の乳腺の領域を表す領域情報を取得する取得部をさらに備え、第２表示制御部は、領域情報が表す乳腺の領域の大きさが予め定められた大きさ以上の場合を、連続撮影を行う場合とする。
【００１４】
本開示の第７の態様の放射線画像撮影システムは、第４の態様から第６の態様のいずれか１態様の放射線画像撮影システムにおいて、第２表示制御部は、連続撮影が行われ、かつ放射線画像が複数の乳腺領域を含む場合、超音波画像の撮影が終了した乳腺領域と、超音波画像の撮影が未終了の乳腺領域とで第２位置識別情報の表示形態を異ならせる。
【００１５】
本開示の第８の態様の放射線画像撮影システムは、第４の態様から第６の態様のいずれか１態様の放射線画像撮影システムにおいて、第２表示制御部は、超音波画像の撮影が終了した場合、第２位置識別情報の表示を終了する。
【００１６】
本開示の第９の態様の放射線画像撮影システムは、第１の態様から第７の態様のいずれか１態様の放射線画像撮影システムにおいて、第２表示制御部は、第２位置識別情報の表示後に、圧迫部材による乳房の圧迫が解除された場合、第２位置識別情報の表示を終了する。
【００１７】
本開示の第１０の態様の放射線画像撮影システムは、第１の態様から第９の態様のいずれか１態様の放射線画像撮影システムにおいて、放射線画像には、第１位置識別情報の画像は含まれない。
【００１８】
本開示の第１１の態様の放射線画像撮影システムは、第１の態様から第１０の態様のいずれか１態様の放射線画像撮影システムにおいて、圧迫部材の種類を検出する検出部をさらに備え、第１位置識別情報は圧迫部材の種類に応じて予め定められており、第２表示制御部は、検出部が検出した圧迫部材の種類に応じた第２位置識別情報を表示させる制御を行う。
【００１９】
本開示の第１２の態様の放射線画像撮影システムは、第１の態様から第１１の態様のいずれか１態様の放射線画像撮影システムにおいて、マンモグラフィ装置に、第１位置識別情報が付与された圧迫部材に代わり、第１位置識別情報が付与されていない圧迫部材が設けられ、第１位置識別情報が付与されていない圧迫部材により圧迫状態の乳房の放射線画像の撮影が行われた場合、第２表示制御部は、第２位置識別情報を表示させる制御を行なわない。
【００２０】
本開示の第１３の態様の放射線画像撮影システムは、第１の態様から第１２の態様のいずれか１態様の放射線画像撮影システムにおいて、第２表示制御部は、放射線画像に含まれる乳房の乳腺の領域に対して第２位置識別情報を表示させる制御を行う。
【００２１】
本開示の第１４の態様の放射線画像撮影システムは、第１の態様から第１３の態様のいずれか１態様の放射線画像撮影システムにおいて、表示装置に表示された放射線画像上の位置の指定を受け付ける受付部をさらに備え、第２表示制御部は、受付部が放射線画像上の位置の指定を受け付けた場合、第２位置識別情報を表示させる制御を行う。
【００２２】
本開示の第１５の態様の放射線画像撮影システムは、第１の態様から第１３の態様のいずれか１態様に記載の放射線画像撮影システムにおいて、表示装置に表示された放射線画像上の位置の指定を受け付ける受付部をさらに備え、第２表示制御部は、受付部が受け付けた放射線画像上の位置が乳房の乳腺の領域内の位置である場合、第２位置識別情報を表示させる制御を行う。
【００２３】
本開示の第１６の態様の放射線画像撮影システムは、第１の態様から第１２の態様のいずれか１態様に記載の放射線画像撮影システムにおいて、第２表示制御部は、放射線画像における乳房の乳腺の領域に対する第２位置識別情報と、乳腺の領域以外に対する第２位置識別情報とを異なる表示形態で表示させる制御を行う。
【００２４】
本開示の第１７の態様の放射線画像撮影システムは、第１６の態様の放射線画像撮影システムにおいて、第２表示制御部は、放射線画像が乳腺の領域を複数含む場合、乳腺の領域毎に、第２位置識別情報の表示形態を異ならせる。
【００２５】
本開示の第１８の態様の放射線画像撮影システムは、第１の態様から第１７の態様のいずれか１態様に記載の放射線画像撮影システムにおいて、第２表示制御部は、第１表示制御部が、表示装置に表示させた放射線画像の大きさを変化させた場合、放射線画像の大きさの変化に追従して第２位置識別情報の表示を変化させる制御を行う。
【００２６】
本開示の第１９の態様の放射線画像撮影システムは、第１の態様から第１８の態様のいずれか１態様に記載の放射線画像撮影システムにおいて、第２表示制御部は、第２位置識別情報を可聴表示させる制御を行う。
【００２７】
本開示の第２０の態様の放射線画像撮影システムは、第１の態様から第１９の態様のいずれか１態様に記載の放射線画像撮影システムにおいて、圧迫部材は、乳房を圧迫する第１圧迫部材と、第１圧迫部材に着脱が可能とされ、かつ第１位置識別情報が付与された第２圧迫部材と、を含む。
【００２８】
また、上記目的を達成するために本開示の第２１の態様の医用撮影システムは、第１の態様から第２０の態様のいずれか１態様に記載の放射線画像撮影システムと、圧迫部材により圧迫状態にされた乳房の超音波画像を撮影する超音波画像撮影装置と、を備える。
【００２９】
また、上記目的を達成するために本開示の第２２の態様の制御方法は、放射線源と放射線検出器との間に配置された乳房を圧迫状態にし、放射線源による放射線が照射される第１の面、及び第１の面の反対側である乳房に接する側の第２の面のいずれかに、第１の面または第２の面の面内位置を識別するための第１位置識別情報が付与された圧迫部材が設けられ、圧迫状態の乳房の放射線画像を、放射線検出器により撮影するマンモグラフィ装置により撮影された放射線画像を表示装置に表示させる制御を行い、圧迫部材の面内位置に対応する放射線画像上の位置を表す、第１位置識別情報に対応する第２位置識別情報を、表示装置に表示された放射線画像に対して表示させる制御を行う、処理をコンピュータが実行する制御方法である。
【００３０】
また、上記目的を達成するために本開示の第２３の態様の制御方法は、放射線源と放射線検出器との間に配置された乳房を圧迫状態にし、放射線源による放射線が照射される第１の面と、第１の面の反対側である乳房に接する側の第２の面との間で第１の面に平行な第３の面に、第３の面の面内位置を識別するための第１位置識別情報が付与された圧迫部材が設けられ、圧迫状態の乳房の放射線画像を、放射線検出器により撮影するマンモグラフィ装置により撮影された放射線画像を表示装置に表示させる制御を行い、圧迫部材の面内位置に対応する放射線画像上の位置を表す、第１位置識別情報に対応する第２位置識別情報を、表示装置に表示された放射線画像に対して表示させる制御を行う、処理をコンピュータが実行する制御方法である。
【００３１】
また、上記目的を達成するために本開示の第２４の態様の制御プログラムは、放射線源と放射線検出器との間に配置された乳房を圧迫状態にし、放射線源による放射線が照射される第１の面、及び第１の面の反対側である乳房に接する側の第２の面のいずれかに、第１の面または第２の面の面内位置を識別するための第１位置識別情報が付与された圧迫部材が設けられ、圧迫状態の乳房の放射線画像を、放射線検出器により撮影するマンモグラフィ装置により撮影された放射線画像を表示装置に表示させる制御を行い、圧迫部材の面内位置に対応する放射線画像上の位置を表す、第１位置識別情報に対応する第２位置識別情報を、表示装置に表示された放射線画像に対して表示させる制御を行う、処理をコンピュータに実行させるためのものである。
【００３２】
また、上記目的を達成するために本開示の第２４の態様の制御プログラムは、放射線源と放射線検出器との間に配置された乳房を圧迫状態にし、放射線源による放射線が照射される第１の面と、第１の面の反対側である乳房に接する側の第２の面との間で第１の面に平行な第３の面に、第３の面の面内位置を識別するための第１位置識別情報が付与された圧迫部材が設けられ、圧迫状態の乳房の放射線画像を、放射線検出器により撮影するマンモグラフィ装置により撮影された放射線画像を表示装置に表示させる制御を行い、圧迫部材の面内位置に対応する放射線画像上の位置を表す、第１位置識別情報に対応する第２位置識別情報を、表示装置に表示された放射線画像に対して表示させる制御を行う、処理をコンピュータに実行させるためのものである。
【００３３】
また、本開示の放射線画像撮影システムは、プロセッサを有する放射線画像撮影システムであって、プロセッサが、放射線源と放射線検出器との間に配置された乳房を圧迫状態にし、放射線源による放射線が照射される第１の面、及び第１の面の反対側である乳房に接する側の第２の面のいずれかに、第１の面または第２の面の面内位置を識別するための第１位置識別情報が付与された圧迫部材が設けられ、圧迫状態の乳房の放射線画像を、放射線検出器により撮影するマンモグラフィ装置により撮影された放射線画像を表示装置に表示させる制御を行い、圧迫部材の面内位置に対応する放射線画像上の位置を表す、第１位置識別情報に対応する第２位置識別情報を、表示装置に表示された放射線画像に対して表示させる制御を行う。
【００３４】
また、本開示の放射線画像撮影システムは、プロセッサを有する放射線画像撮影システムであって、プロセッサが、放射線源と放射線検出器との間に配置された乳房を圧迫状態にし、放射線源による放射線が照射される第１の面と、第１の面の反対側である乳房に接する側の第２の面との間で第１の面に平行な第３の面に、第３の面の面内位置を識別するための第１位置識別情報が付与された圧迫部材が設けられ、圧迫状態の乳房の放射線画像を、放射線検出器により撮影するマンモグラフィ装置により撮影された放射線画像を表示装置に表示させる制御を行い、圧迫部材の面内位置に対応する放射線画像上の位置を表す、第１位置識別情報に対応する第２位置識別情報を、表示装置に表示された放射線画像に対して表示させる制御を行う。
【発明の効果】
【００３５】
本開示によれば、放射線画像上の位置と、圧迫部材上の位置との対応を分かり易くすることができる。
【図面の簡単な説明】
【００３６】
【図１】第１実施形態の医用撮影システムにおける全体の構成の一例を概略的に表した構成図である。
【図２】第１実施形態のコンソール及びマンモグラフィ装置の構成の一例を表したブロック図である。
【図３】第１実施形態のマンモグラフィ装置の外観の一例を表す側面図である。
【図４Ａ】第１実施形態の圧迫板を上面側からみた状態の一例を表す平面図である。
【図４Ｂ】圧迫板目盛の一例を示す図である。
【図５Ａ】第１実施形態の画像目盛情報の一例を示す図である。
【図５Ｂ】第１実施形態の画像目盛情報の他の例を示す図である。
【図５Ｃ】第１実施形態の画像目盛情報の他の例を示す図である。
【図６】第１実施形態のマンモグラフィ装置及びコンソールの機能の一例を表す機能ブロック図である。
【図７】第１実施形態の超音波画像撮影装置の構成の一例を表したブロック図である。
【図８】第１実施形態の画像保存システムの構成の一例を表したブロック図である。
【図９】第１実施形態のコンソールにおける表示制御処理の流れの一例を表したフローチャートである。
【図１０】第１実施形態の表示部に表示された放射線画像の一例を示す図である。
【図１１】第１実施形態の画像目盛の一例を示す図である。
【図１２】第１実施形態の表示部に表示された放射線画像に対して表示される画像目盛の一例を示す図である。
【図１３】変形例１及び２のマンモグラフィ装置及びコンソールの機能の一例を表す機能ブロック図である。
【図１４】変形例１のコンソールにおける表示制御処理の流れの一例を表したフローチャートである。
【図１５】変形例２のコンソールにおける表示制御処理の流れの一例を表したフローチャートである。
【図１６】変形例３のコンソールにおける表示制御処理の流れの一例を表したフローチャートである。
【図１７】第２実施形態のコンソールにおける表示制御処理の流れの一例を表したフローチャートである。
【図１８Ａ】第２実施形態の表示部に表示された放射線画像に対して表示される画像目盛の一例を示す図である。
【図１８Ｂ】第２実施形態の表示部に表示された放射線画像に対して表示される画像目盛の他の例を示す図である。
【図１８Ｃ】第２実施形態の表示部に表示された放射線画像に対して表示される画像目盛の他の例を示す図である。
【図１９】第２実施形態の表示部に表示された放射線画像に対して表示される、乳腺領域が複数ある場合の画像目盛の一例を示す図である。
【図２０】第２実施形態の表示部に表示された放射線画像に対して表示される、乳腺領域が複数ある場合の画像目盛の他の例を示す図である。
【図２１Ａ】超音波画像の撮影が終了した乳腺画像と撮影が未終了の乳腺画像とで、対応する乳腺領域識別情報の表示形態を異ならせる形態例を説明するための図である。
【図２１Ｂ】超音波画像の撮影が終了した乳腺画像と撮影が未終了の乳腺画像とで、対応する乳腺領域識別情報の表示形態を異ならせる形態例を説明するための図である。
【図２１Ｃ】超音波画像の撮影が終了した乳腺画像と撮影が未終了の乳腺画像とで、対応する乳腺領域識別情報の表示形態を異ならせる形態例を説明するための図である。
【図２１Ｄ】超音波画像の撮影が終了した乳腺画像と撮影が未終了の乳腺画像とで、対応する乳腺領域識別情報の表示形態を異ならせる形態例を説明するための図である。
【図２２】第２実施形態の表示部に表示された放射線画像に対して表示される画像目盛の他の例を示す図である。
【図２３】第３実施形態の医用撮影システムにおける全体の構成の一例を概略的に表した構成図である。
【図２４】第３実施形態のコンソール及び医用撮影装置の構成の一例を表したブロック図である。
【図２５Ａ】圧迫板の他の例を示す斜視図である。
【図２５Ｂ】圧迫板の他の例を示す斜視図である。
【図２５Ｃ】圧迫板の他の例を示す側面図である。
【図２５Ｄ】圧迫板の他の例を示す側面図である。
【図２６Ａ】圧迫板目盛の他の例を示す図である。
【図２６Ｂ】圧迫板目盛の他の例を示す図である。
【発明を実施するための形態】
【００３７】
以下、図面を参照して本発明の実施形態を詳細に説明する。なお、各実施形態は本発明を限定するものではない。
【００３８】
［第１実施形態］
まず、本実施形態の医用撮影システムにおける、全体の構成の一例について説明する。図１には、本実施形態の医用撮影システム１における、全体の構成の一例を表す構成図が示されている。
【００３９】
図１に示すように、本実施形態の医用撮影システム１は、放射線画像撮影システム２、超音波画像撮影装置１６、及び画像保存システム１８を備える。
【００４０】
まず、放射線画像撮影システム２の構成について説明する。放射線画像撮影システム２は、マンモグラフィ装置１０及びコンソール１２を含む。図２には、マンモグラフィ装置１０及びコンソール１２の構成の一例を表すブロック図が示されている。また、図３には、本実施形態のマンモグラフィ装置１０の外観の一例を表す側面図が示されている。なお、図３は、被検者の右側からマンモグラフィ装置１０を見た場合の外観の一例を示している。
【００４１】
本実施形態のマンモグラフィ装置１０は、被検者の乳房を被写体として、乳房に放射線Ｒ（例えば、Ｘ線）を照射して乳房の放射線画像を撮影する装置である。なお、マンモグラフィ装置１０は、被検者が起立している状態（立位状態）のみならず、被検者が椅子（車椅子を含む）等に座った状態（座位状態）において、被検者の乳房を撮影する装置であってもよい。
【００４２】
図２に示すように、本実施形態のマンモグラフィ装置１０は、制御部２０、記憶部２２、Ｉ／Ｆ（Interface)部２４、操作部２６、放射線検出器３０、圧迫板駆動部３２、圧迫板３４、圧迫板検出センサ３５、放射線照射部３６、及び線源移動部３７を備える。制御部２０、記憶部２２、Ｉ／Ｆ部２４、操作部２６、放射線検出器３０、圧迫板駆動部３２、圧迫板検出センサ３５、放射線照射部３６、及び線源移動部３７は、システムバスやコントロールバス等のバス３９を介して相互に各種情報の授受が可能に接続されている。
【００４３】
本実施形態の制御部２０は、コンソール１２の制御に応じて、マンモグラフィ装置１０の全体の動作を制御する。制御部２０は、ＣＰＵ（Central Processing Unit）２０Ａ、ＲＯＭ（Read Only Memory）２０Ｂ、及びＲＡＭ（Random Access Memory）２０Ｃを備える。ＲＯＭ２０Ｂには、ＣＰＵ２０Ａで実行される、放射線画像の撮影に関する制御を行うための撮影処理プログラム２１を含む各種のプログラム等が予め記憶されている。ＲＡＭ２０Ｃは、各種データを一時的に記憶する。
【００４４】
放射線検出器３０は、被写体である乳房を通過した放射線Ｒを検出する。図３に示すように、放射線検出器３０は、撮影台４０の内部に配置されている。本実施形態のマンモグラフィ装置１０では、撮影を行う場合、撮影台４０の撮影面４０Ａ上には、被検者の乳房が医師及び技師等のユーザによってポジショニングされる。被検者の乳房が接する撮影面４０Ａ等は、放射線Ｒの透過性や強度の観点から、例えば、カーボン等で形成されている。
【００４５】
放射線検出器３０は、被検体の乳房及び撮影台４０を透過した放射線Ｒを検出し、検出した放射線Ｒに基づいて放射線画像を生成し、生成した放射線画像を表す画像データを出力する。本実施形態の放射線検出器３０の種類は、特に限定されず、例えば、放射線Ｒを光に変換し、変換した光を電荷に変換する間接変換方式の放射線検出器であってもよいし、放射線Ｒを直接電荷に変換する直接変換方式の放射線検出器であってもよい。
【００４６】
記憶部２２には、放射線検出器３０により撮影された放射線画像の画像データや、その他の各種情報等が記憶される。記憶部２２の具体例としては、ＨＤＤ（Hard Disk Drive）やＳＳＤ（Solid State Drive）等が挙げられる。Ｉ／Ｆ部２４は、無線通信または有線通信により、コンソール１２との間で各種情報の通信を行う。マンモグラフィ装置１０で放射線検出器３０により撮影された放射線画像の画像データは、Ｉ／Ｆ部２４を介してコンソール１２に無線通信または有線通信によって送信される。
【００４７】
操作部２６は、例えば、マンモグラフィ装置１０の撮影台４０等に複数のスイッチとして設けられている。なお、操作部２６は、タッチパネル式のスイッチとして設けられていてもよいし、ユーザが足で操作するフットスイッチとして設けられていてもよい。
【００４８】
放射線照射部３６は、放射線源３６Ｒを備えている。図３に示すように放射線照射部３６は、撮影台４０及び圧迫ユニット４６と共にアーム部４２に設けられている。なお、図３に示すように本実施形態のマンモグラフィ装置１０は、アーム部４２と、基台４４と、軸部４５と、を備えている。アーム部４２は、基台４４によって、上下方向（Ｚ軸方向）に移動可能に保持される。軸部４５は、アーム部４２を基台４４に連結する。またアーム部４２は、線源移動部３７によって軸部４５を回転軸として、基台４４に対して相対的に回転可能となっている。
【００４９】
本実施形態のマンモグラフィ装置１０では、放射線画像の撮影について、少なくとも２種類の撮影を行うことができる。具体的には、マンモグラフィ装置１０は、乳房に対して、撮影方向が頭尾方向である、ＣＣ（Cranio-Cauda）撮影、及び撮影方向が内外斜位方向であるＭＬＯ（Medio-Lateral Oblique）撮影の２種類の撮影を少なくとも行うことができる。以下の説明では、放射線画像の撮影において、放射線源３６Ｒから撮影台４０へ放射線Ｒを照射する場合における放射線源３６Ｒの位置を「撮影位置」という。
【００５０】
ＣＣ撮影を行う場合は、撮影面４０Ａがマンモグラフィ装置１０の上側（被検者の頭側）を向いた状態に調整される。また、放射線源３６Ｒの位置が、撮影台４０の撮影面４０Ａと対向する撮影位置に調整される。これにより、被検者の頭側から足側に向かって、放射線源３６Ｒから乳房へ放射線Ｒが照射されて、ＣＣ撮影が行われる。
【００５１】
一方、ＭＬＯ撮影を行う場合は、ＣＣ撮影を行う場合に対して撮影面４０Ａを、例えば４５度以上９０度未満の範囲内の予め定められた角度まで回転された状態に撮影台４０の位置が調整される。具体的には、左の乳房を撮影する場合は、撮影面４０Ａを右側に傾斜させた状態とし、右の乳房を撮影する場合は、撮影面４０Ａを左側に傾斜させた状態とする。これにより、被検者の胴体の中心側から外側へ向かって（被検者の乳房同士の間から腕側に向けて）、放射線源３６Ｒから乳房へ放射線Ｒが照射されて、ＭＬＯ撮影が行われる。
【００５２】
また、圧迫板駆動部３２は圧迫ユニット４６に設けられており、圧迫板３４の支持部３４Ｂは、圧迫板駆動部３２に取り付けられる。圧迫板駆動部３２に取り付けられる側の圧迫板３４Ｂの面３４Ｃには、圧迫板３４の種類（詳細後述）を識別するための圧迫板識別子（図示省略）が設けられている。圧迫ユニット４６には圧迫板検出センサ３５が設けられており、圧迫板３４の支持部３４Ｂが圧迫板駆動部３２に取り付けられると、圧迫板検出センサ３５が面３４Ｃに設けられた圧迫板識別子を読み取って、取り付けられた圧迫板３４の種類を検出する。なお、本実施形態の圧迫板３４が、本開示の圧迫部材の一例である。
【００５３】
圧迫ユニット４６と、アーム部４２とは、軸部４５を回転軸として、別々に、基台４４に対して相対的に回転可能となっている。本実施形態では、軸部４５、アーム部４２、及び圧迫ユニット４６にそれぞれギア（図示省略）が設けられ、このギア同士の噛合状態及び非噛合状態を切替えることにより、アーム部４２及び圧迫ユニット４６の各々が軸部４５に連結される。軸部４５に連結されたアーム部４２及び圧迫ユニット４６の一方または両方が、軸部４５と一体に回転する。
【００５４】
本実施形態の圧迫板３４は、板状の圧迫部材であり、圧迫板駆動部３２により上下方向（Ｚ軸方向）に移動し、撮影台４０との間で被検者の乳房を圧迫する。図３に示すように、圧迫板３４の移動方向について、また、乳房を圧迫する方向、換言すると、撮影面４０Ａに近付く方向を「圧迫方向」といい、乳房への圧迫を解除する方向、換言すると、放射線照射部３６に近付く方向を「圧迫解除方向」という。
【００５５】
圧迫板３４は、乳房の圧迫において位置合わせや圧迫状態の確認を行うために光学的に透明であることが好ましく、また、放射線Ｒの透過性に優れた材料によって形成される。さらに、圧迫板３４は、超音波画像撮影装置１６の超音波プローブ６５（図７参照、詳細後述）から送信される超音波を伝播し易い材料により形成されていることが望ましい。圧迫板３４の材料としては、例えば、ポリメチルペンテン、ポリカーボネート、アクリル、及びポリエチレンテレフタレート等の樹脂を用いることができる。特に、ポリメチルペンテンは、剛性が低く伸縮性及び可撓性に優れると共に、超音波の反射率に影響する音響インピーダンスと超音波の減衰に影響する減衰係数とにおいて適した値を有するので、圧迫板３４の材料として適している。なお、圧迫板３４を構成する部材は、本実施形態に限定されない。例えば、圧迫板３４を構成する部材は、フィルム状の部材であってもよい。
【００５６】
また、図４Ａに示すように、本実施形態の圧迫板３４の上面３４Ａには、放射線検出器３０により撮影された放射線画像上の位置に対応する、上面３４Ａの面内位置を識別するための圧迫板目盛７０が設けられている。換言すると、圧迫板３４の上面３４Ａには、圧迫板３４上の位置を識別するための圧迫板目盛７０が設けられている。本実施形態の上面３４Ａが本開示の第１の面の一例であり、本実施形態の圧迫板目盛７０が本開示の第１位置識別情報の一例である。このように、本開示の第１の面とは、圧迫板３４において放射線が照射される面（本実施形態では上面３４Ａ）であり、換言すると、圧迫板３４において、放射線源３６Ｒに近い側の面である。
【００５７】
コンソール１２の表示部５８等に表示された状態の放射線画像と、圧迫板３４により圧迫状態にある乳房とでは、見え方等が異なる。例えば、表示されている放射線画像における乳房の画像の大きさは、圧迫状態にある実際の乳房と大きさが異なる場合がある。そのため、放射線画像上の位置と、圧迫板３４上の位置との対応が分かり難い場合がある。例えば、超音波画像の撮影を行う場合、乳房全体の超音波画像を撮影するのではなく、乳腺領域を中心とした超音波画像を撮影する場合がある。この場合、放射線検出器３０により撮影された放射線画像から乳腺領域を特定するが、放射線画像において乳腺領域として特定した領域が、圧迫板３４上のどの位置に該当するか判別し難い場合がある。
【００５８】
そこで一例として図４Ａに示すように本実施形態の圧迫板３４の上面３４Ａには、図４Ｂに一例を示した圧迫板目盛７０が設けられている。図４Ａ及び図４Ｂに示すように、本実施形態の圧迫板目盛７０は、実線及び点線を含む格子状の複数の線と、複数の線の各々を識別する記号を含む。具体的には、圧迫板目盛７０は、１３本の縦線を含み、被検者の左側から順に、各縦線にＡ〜Ｍまでのアルファベットが付与されている。また、圧迫板目盛７０は、１１本の横線を含み、被検者の胸壁側から順に、各横線に１〜１１までの番号が付与されている。本実施形態の放射線画像撮影システム２では、縦線を表すアルファベットと、横線を表す数字の組み合わせにより、圧迫板３４の上面３４Ａでの位置を特定する。
【００５９】
なお、圧迫板目盛７０は、放射線検出器３０により撮影される放射線画像には写らない。換言すると、撮影された放射線画像には圧迫板目盛７０を表す画像が含まれない。圧迫板目盛７０の材料としては、例えば、カーボン（Ｃ）等を用いることができる。また、圧迫板目盛７０は、放射線画像に写らないという観点からは、上記の格子状の複数の線を細線とし、また記号を小さくすることが好ましい。
【００６０】
また、本実施形態では、圧迫板目盛７０が圧迫板３４の上面３４Ａに設けられている形態について説明するが、圧迫板目盛７０が設けられる位置は、上面３４Ａに限定されない。例えば、圧迫板３４において撮影台４０と対向する側の下面３４Ｄ、換言すると乳房と接する側の面である下面３４Ｄに設けられていてもよく、圧迫板３４の上面３４Ａ、下面３４Ｄ、上面３４Ａ及び下面３４Ｄとの間で、上面３４Ａと平行な面のいずれかに設けられていればよい。なお、本実施形態の下面３４Ｄが本開示の第２の面の一例であり、本実施形態の上面３４Ａと平行な面が本開示の第３の面の一例である。このように、本開示の第２の面とは、圧迫板３４において乳房と接する側の面（本実施形態では下面３４Ｄ）であり、換言すると、圧迫板３４において、放射線源３６Ｒに遠い側の面である。また、本開示の第３の面とは、圧迫板３４における第１の面と平行な断面であり、圧迫板３４内部に存在する面である。
【００６１】
なお、本実施形態のマンモグラフィ装置１０に設けられる圧迫板３４は、図４Ａに示したものに限定されず、複数種類の圧迫板３４を設けることが可能である。例えば、圧迫板３４は、乳房全体を圧迫するものに限らず、乳房の一部を圧迫するものであってもよい。換言すると、乳房よりも小さい圧迫板３４でもよい。このような圧迫板３４としては、例えば、病変が存在する領域のみの放射線画像を撮影する、いわゆるスポット撮影に用いられる圧迫板３４が知られている。
【００６２】
またその他の種類の圧迫板３４としては、例えば、乳房の大きさに応じた圧迫板、腋窩撮影用の圧迫板、及び拡大撮影用の圧迫板等が挙げられる。本実施形態の放射線画像撮影システム２では、これらの圧迫板３４の種類に応じて、圧迫板目盛７０が異なる場合がある。例えば、上述した圧迫板目盛７０の格子の大きさが異なる場合、格子の形状が異なる場合、及び各線に対応する記号が異なる場合がある。
【００６３】
一方、本実施形態のコンソール１２は、無線通信ＬＡＮ（Local Area Network）等を介してＲＩＳ（Radiology Information System）５等から取得した撮影オーダ及び各種情報と、操作部５６等によりユーザにより行われた指示等とを用いて、マンモグラフィ装置１０の制御を行う機能を有している。
【００６４】
本実施形態のコンソール１２は、一例として、サーバーコンピュータである。図２に示すように、コンソール１２は、制御部５０、記憶部５２、Ｉ／Ｆ部５４、操作部５６、及び表示部５８を備えている。制御部５０、記憶部５２、Ｉ／Ｆ部５４、操作部５６、及び表示部５８はシステムバスやコントロールバス等のバス５９を介して相互に各種情報の授受が可能に接続されている。なお、本実施形態の表示部５８が、本開示の表示装置の一例である。
【００６５】
本実施形態の制御部５０は、コンソール１２の全体の動作を制御する。制御部５０は、ＣＰＵ５０Ａ、ＲＯＭ５０Ｂ、及びＲＡＭ５０Ｃを備える。ＲＯＭ５０Ｂには、ＣＰＵ５０Ａで実行される、後述する表示制御処理プログラム５１を含む各種のプログラム等が予め記憶されている。ＲＡＭ５０Ｃは、各種データを一時的に記憶する。本実施形態の表示制御処理プログラム５１が、本開示の制御プログラムの一例である。
【００６６】
記憶部５２には、マンモグラフィ装置１０で撮影された放射線画像の画像データや、その他の各種情報等が記憶される。記憶部５２の具体例としては、ＨＤＤやＳＳＤ等が挙げられる。また、本実施形態の記憶部５２には、画像目盛情報５３が記憶される。
【００６７】
本実施形態のコンソール１２では、表示部５８に放射線画像を表示させる場合、撮影に用いた圧迫板３４の圧迫板目盛７０に応じた画像目盛７２（図１１参照）を放射線画像に対して表示させる制御を行う。本実施形態の画像目盛７２は、本開示の第２位置識別情報の一例である。上述したように、圧迫板３４には複数種類が有り、種類によって、圧迫板目盛７０が異なる場合があるため、本実施形態では、圧迫板３４の種類毎に、表示させるべき画像目盛７２が予め対応付けられており、画像目盛情報５３は、圧迫板３４の種類と表示させるべき画像目盛７２を表す情報との対応関係を表す。図５Ａには、本実施形態の画像目盛情報５３の一例を示す。図５Ａに示した画像目盛情報５３は、圧迫板の種類を表す圧迫板ＩＤ（Identification）と、画像目盛７２を表す画像目盛ＩＤとの対応関係が示されている。図５Ａに示した画像目盛情報５３によれば、例えば、圧迫板ＩＤが「Ｂ００２１」の圧迫板３４には、画像目盛が「Ｓ００２１」の画像目盛７２が対応付けられている。なお、図５Ａに示すように、圧迫板ＩＤが「Ｂ００１０」の圧迫板３４には、画像目盛ＩＤが対応付けられていない（図５Ａ「無」参照）。これは、圧迫板ＩＤが「Ｂ００１０」で表される種類の圧迫板３４には、圧迫板目盛７０が付与されておらず、従って、対応する画像目盛７２が存在しないことを表している。このように本実施形態のマンモグラフィ装置１０には、圧迫板目盛７０が付与されていない圧迫板３４が設けられる場合もある。
【００６８】
また、本実施形態のマンモグラフィ装置１０では、ＣＣ撮影の場合とＭＬＯ撮影の場合とで、撮影台４０に対する圧迫板３４の位置が異なる。そのため、同一の種類の圧迫板３４を用いても、ＣＣ撮影により撮影された放射線画像に対応する画像目盛７２と、ＭＬＯ撮影により撮影された放射線画像に対応する画像目盛７２とが異なる場合がある。一例として、図５Ａに示した画像目盛情報５３では、このように撮影の種類が異なる場合も圧迫板３４の種類が異なる撮影であるとみなしている。換言すると、本実施形態では、撮影の種類も含めて圧迫板３４の種類と称している。例えば、図５Ａにおいて圧迫板ＩＤが「Ｂ００２１」の圧迫板３４は、ＣＣ撮影が行われる場合の圧迫板３４を表し、圧迫板ＩＤが「Ｂ００２２」の圧迫板３４は、圧迫板ＩＤが「Ｂ００２１」の圧迫板３４を用いてＭＬＯ撮影により被検者の右乳房を撮影した場合の圧迫板３４を表している。また、圧迫板ＩＤが「Ｂ００２３」の圧迫板３４は、圧迫板ＩＤが「Ｂ００２１」の圧迫板３４を用いてＭＬＯ撮影により被検者の左乳房を撮影した場合の圧迫板３４を表している。なお、本実施形態では、撮影の種類としてＣＣ撮影及びＭＬＯ撮影を例示したが、撮影の種類はこれらに限定されず、例えばトモシンセシス撮影等が撮影の種類として含まれていてもよい。
【００６９】
なお、本実施形態の画像目盛情報５３と異なり、圧迫板３４の種類に、撮影の種類を含めなくてもよい。この場合の画像目盛情報５３の一例を図５Ｂに示す。図５Ｂに示した画像目盛情報５３には、圧迫板３４そのものの種類を表す圧迫板ＩＤと、撮影の種類と、画像目盛７２を表す画像目盛ＩＤとの対応関係が示されている。図５Ｂに示した画像目盛情報５３によれば、例えば、圧迫板ＩＤが「Ｂ００２０」の圧迫板３４であり、かつ撮影の種類が「ＣＣ」であるＣＣ撮影には、画像目盛が「Ｓ００２１」の画像目盛７２が対応付けられている。また例えば、圧迫板ＩＤが「Ｂ００２０」の圧迫板３４であり、かつ撮影の種類が「ＭＬＯ（右）」である右乳房のＭＬＯ撮影には、画像目盛が「Ｓ００２２」の画像目盛７２が対応付けられている。
【００７０】
また、画像目盛情報５３は、上述した図５Ａに示した画像目盛情報５３及び図５Ｂに示した画像目盛情報５３に限定されるものではない。一例として図５Ｃには、圧迫板ＩＤと、照射野を表す情報と、画像目盛ＩＤとの対応関係を示す画像目盛情報５３を示す。本実施形態のマンモグラフィ装置１０では、放射線源３６Ｒから照射する放射線Ｒの照射野のサイズ及び位置は、図示を省略したコリメータによって定められる。照射野のサイズ及び位置に応じて、撮影される放射線画像が変化するため、放射線画像に対して表示させるべき画像目盛７２も変化する。この場合、放射線画像に対して表示させるべき画像目盛７２を特定するパラメータの一つとして照射野を表す情報を用いることが好ましい。図５Ｃに示した画像目盛情報５３は、図５Ａに示した画像目盛情報５３において、画像目盛７２を特定するパラメータとして照射野をさらに追加した対応関係を表す情報である。
【００７１】
操作部５６は、放射線Ｒの照射指示を含む放射線画像の撮影等に関する指示や各種情報等をユーザが入力するために用いられる。そのため、本実施形態の操作部５６は、放射線Ｒの照射を指示する場合に、ユーザが押圧する照射指示ボタンが少なくとも含まれる。なお、操作部５６は特に限定されるものではなく、例えば、各種スイッチ、タッチパネル、タッチペン、及びマウス等が挙げられる。表示部５８は、各種情報を表示する。なお、操作部５６と表示部５８とを一体化してタッチパネルディスプレイとしてもよい。
【００７２】
Ｉ／Ｆ部５４は、無線通信または有線通信により、マンモグラフィ装置１０、ＲＩＳ５、及び画像保存システム１８との間で各種情報の通信を行う。本実施形態の放射線画像撮影システム２では、マンモグラフィ装置１０で撮影された放射線画像の画像データは、コンソール１２が、Ｉ／Ｆ部５４を介して無線通信または有線通信によりマンモグラフィ装置１０から受信する。
【００７３】
さらに、図６には、本実施形態のマンモグラフィ装置１０及びコンソール１２の構成の一例の機能ブロック図を示す。図６に示すように本実施形態のマンモグラフィ装置１０は、検出部８０を備える。一例として本実施形態のマンモグラフィ装置１０は、制御部２０のＣＰＵ２０ＡがＲＯＭ２０Ｂに記憶されている撮影処理プログラム２１を実行することにより、制御部２０が、検出部８０として機能する。
【００７４】
マンモグラフィ装置１０の検出部８０は、圧迫板検出センサ３５が読み取った圧迫板３４の面３４Ｃに設けられた圧迫板識別子に基づいてマンモグラフィ装置１０に取り付けられた圧迫板３４の種類を検出し、検出結果をコンソール１２に出力する。
【００７５】
一方、本実施形態のコンソール１２は、第１表示制御部８２、第２表示制御部８４、及び受付部８６を備える。一例として本実施形態のコンソール１２は、制御部５０のＣＰＵ５０ＡがＲＯＭ５０Ｂに記憶されている表示制御処理プログラム５１を実行することにより、制御部５０が、第１表示制御部８２、第２表示制御部８４、及び受付部８６として機能する。
【００７６】
第１表示制御部８２には、マンモグラフィ装置１０により撮影された放射線画像９０の画像データが入力される。第１表示制御部８２は、入力された画像データが表す放射線画像９０を表示部５８に表示させる制御を行う。
【００７７】
第２表示制御部８４には、マンモグラフィ装置１０の検出部８０から検出結果が入力される。第２表示制御部８４は、画像目盛情報５３を参照し、検出結果が示す圧迫板３４の種類に対応する画像目盛７２を特定する。また、第２表示制御部８４は、特定した画像目盛７２を、第１表示制御部８２が表示部５８に表示させた放射線画像９０に対して表示させる制御を行う。
【００７８】
受付部８６は、表示部５８に表示された放射線画像９０に対してユーザが行った各種の指定を受け付ける。一例として本実施形態では、表示部５８に表示されている放射線画像９０に対して画像目盛７２を表示及び非表示のいずれとするかを受け付ける。なお、本実施形態では、表示部５８に画像目盛７２を表示させることを画像目盛７２を「オン」にするともいい、画像目盛７２を非表示させることを画像目盛７２を「オフ」にするともいう。
【００７９】
次に、超音波画像撮影装置１６の構成について説明する。図７には、超音波画像撮影装置１６の構成の一例を表すブロック図が示されている。超音波画像撮影装置１６は、ユーザによって、被検者の乳房を被写体とした超音波画像を撮影する装置であり、いわゆる、ハンドヘルドタイプの超音波画像撮影装置である。
【００８０】
図７に示すように、超音波画像撮影装置１６は、制御部６０、記憶部６２、Ｉ／Ｆ部６４、超音波プローブ６５、操作部６６、及び表示部６８を備えている。制御部６０、記憶部６２、Ｉ／Ｆ部６４、超音波プローブ６５、操作部６６、及び表示部６８はシステムバスやコントロールバス等のバス６９を介して相互に各種情報の授受が可能に接続されている。
【００８１】
本実施形態の制御部６０は、超音波画像撮影装置１６の全体の動作を制御する。制御部６０は、ＣＰＵ６０Ａ、ＲＯＭ６０Ｂ、及びＲＡＭ６０Ｃを備える。ＲＯＭ６０Ｂには、ＣＰＵ６０Ａで実行される、各種のプログラム等が予め記憶されている。ＲＡＭ６０Ｃは、各種データを一時的に記憶する。
【００８２】
記憶部６２には、撮影された超音波画像の画像データや、その他の各種情報等が記憶される。記憶部６２の具体例としては、ＨＤＤやＳＳＤ等が挙げられる。
【００８３】
超音波プローブ６５は、ユーザによって、圧迫板３４の上面３４Ａ（図３参照、被検者の乳房に接する側と反対側の面）に沿って移動され、乳房を超音波で走査することにより乳房の超音波画像を取得する。具体的には、超音波撮影が行われる場合には、超音波プローブ６５は、圧迫板３４の上面３４Ａにエコーゼリー等の音響マッチング部材（図示省略）が塗布された状態で、ユーザにより、圧迫板３４の上面３４Ａに沿って移動される。本実施形態では、上述したように圧迫板３４の上面３４Ａには圧迫板目盛７０が付与されているため、ユーザは、圧迫板目盛７０により乳腺領域の位置を確認しながら、超音波プローブ６５を移動させることができる。
【００８４】
超音波プローブ６５は、１次元状、又は、２次元状に配列された複数の超音波トランスデューサ（図示省略）を備える。各々の超音波トランスデューサは、印加される駆動信号に基づいて超音波を送信すると共に、超音波エコーを受信することにより受信信号を出力する。
【００８５】
複数の超音波トランスデューサの各々は、例えば、ＰＺＴ（チタン酸ジルコン酸鉛：Ｐｂ(lead) zirconate titanate）に代表される圧電セラミックや、ＰＶＤＦ（ポリフッ化ビニリデン：polyvinylidene difluoride）に代表される高分子圧電素子等の圧電性を有する材料（圧電体）の両端に電極を形成した振動子により構成される。振動子の電極に、パルス状又は連続波の駆動信号を送って電圧を印加すると、圧電体が伸縮する。この伸縮によって、それぞれの振動子からパルス状又は連続波の超音波が発生し、それらの超音波の合成によって超音波ビームが形成される。また、それぞれの振動子は、伝搬する超音波を受信することによって伸縮し、電気信号を発生する。それらの電気信号は、超音波の受信信号として出力され、ケーブル（図示省略）を介して、超音波画像撮影装置１６の本体(図示省略）に入力される。
【００８６】
操作部６６は、超音波画像の撮影等に関する指示や各種情報等をユーザが入力するために用いられる。操作部６６は、特に限定されるものではなく、例えば、各種スイッチ、タッチパネル、タッチペン、及びマウス等が挙げられる。表示部６８は、各種情報や、超音波プローブ６５から受信した受信信号に応じた超音波画像等を表示する。なお、操作部６６と表示部６８とを一体化してタッチパネルディスプレイとしてもよい。
【００８７】
Ｉ／Ｆ部６４は、無線通信または有線通信により、ＲＩＳ５、及び画像保存システム１８との間で各種情報の通信を行う。超音波画像撮影装置１６により撮影された超音波画像の画像データは、Ｉ／Ｆ部６４を介して画像保存システム１８に無線通信または有線通信によって送信される。
【００８８】
次に、画像保存システム１８の構成について説明する。図８には、画像保存システム１８の構成の一例を表すブロック図が示されている。画像保存システム１８は、放射線画像撮影システム２により撮影された放射線画像の画像データ、及び超音波画像撮影装置１６により撮影された超音波画像の画像データを保存するシステムである。画像保存システム１８は、保存している放射線画像及び超音波画像から、コンソール１２、超音波画像撮影装置１６、及びその他の読影装置（図示省略）等からの要求に応じた画像を取り出して、要求元の装置に送信する。画像保存システム１８の具体例としては、ＰＡＣＳ（Picture Archiving and Communication Systems）が挙げられる。
【００８９】
図８に示すように、画像保存システム１８は、制御部７６、記憶部７７、及びＩ／Ｆ部７８を備えている。制御部７６、記憶部７７、及びＩ／Ｆ部７８はシステムバスやコントロールバス等のバス７９を介して相互に各種情報の授受が可能に接続されている。
【００９０】
本実施形態の制御部７６は、超音波画像撮影装置１６の全体の動作を制御する。制御部７６は、ＣＰＵ７６Ａ、ＲＯＭ７６Ｂ、及びＲＡＭ７６Ｃを備える。ＲＯＭ７６Ｂには、ＣＰＵ７６Ａで実行される、各種のプログラム等が予め記憶されている。ＲＡＭ７６Ｃは、各種データを一時的に記憶する。
【００９１】
記憶部７７は、放射線画像の画像データ及び超音波画像の画像データの各々を、撮影オーダや被検者に関する情報等と関連付けて記憶する、いわゆるデータベースである。
【００９２】
Ｉ／Ｆ部７８は、無線通信または有線通信により、コンソール１２及び超音波画像撮影装置１６との間で各種情報の通信を行う機能を有している。
【００９３】
次に、本実施形態のコンソール１２の作用について図面を参照して説明する。
本実施形態のコンソール１２は、一例として、ユーザが操作部５６により指示した、撮影オーダに応じた撮影開始の指示を受け付けた場合、制御部５０のＣＰＵ５０Ａが、ＲＯＭ５０Ｂに記憶されている表示制御処理プログラム５１を実行することにより、図９に一例を示した表示制御処理を実行する。図９には、本実施形態のコンソール１２における表示制御動作の流れの一例を表したフローチャートが示されている。
【００９４】
本実施形態のマンモグラフィ装置１０において放射線画像の撮影を行う場合、マンモグラフィ装置１０の制御部２０は、放射線画像の撮影の種類に応じた撮影位置に放射線源３６Ｒ及び撮影台４０を配置させる。具体的には、制御部２０は、撮影メニューに応じて、ＣＣ撮影、被検者の左胸のＭＬＯ撮影、及び被検者の右胸のＭＬＯ撮影のいずれかにおける撮影位置に放射線源３６Ｒ及び撮影台４０を配置させる。
【００９５】
マンモグラフィ装置１０の撮影台４０及び放射線源３６Ｒが、撮影位置となると、ユーザは、撮影台４０の撮影面４０Ａ上に、被検者の乳房をポジショニングする。ポジショニングが完了すると、ユーザは、操作部２６により圧迫を指示する。圧迫の指示に応じて、圧迫板駆動部３２によって圧迫方向へ圧迫板３４が移動されて、圧迫板３４により撮影台４０の撮影面４０Ａとの間で乳房が圧迫される。
【００９６】
圧迫板３４により乳房を圧迫することにより、乳腺組織の重なりを展開し、良性病変及び悪性病変のいずれであるかの判断等を行いやすくすることができる。また、圧迫板３４により圧迫することで乳房を撮影台４０に固定することにより、被検者の体動を抑制するため、体動により生じる放射線画像のボケを抑制することができる。さらに、圧迫板３４により乳房を圧迫することで乳房の厚みが薄くなるため、乳房の被曝を低減することができる。
【００９７】
圧迫板３４により乳房が固定されると、ユーザは、コンソール１２の操作部５６に含まれる照射指示ボタンを押圧し、放射線Ｒの照射指示を行う。照射指示が行われると、コンソール１２の制御に応じてマンモグラフィ装置１０の制御部２０は、放射線源３６Ｒから放射線Ｒを、圧迫板３４により圧迫された状態の乳房に向けて照射させる。そして、放射線検出器３０により乳房を透過した放射線Ｒに応じて放射線画像を生成する。撮影された放射線画像の画像データは、コンソール１２に送信される。
【００９８】
図９に示した表示制御処理では、まず、ステップＳ１００で第１表示制御部８２は、マンモグラフィ装置１０から放射線画像９０の画像データを受信したか否か判定する。マンモグラフィ装置１０から放射線画像９０の画像データを受診するまで、ステップＳ１００の判定が否定判定となる。一方、マンモグラフィ装置１０から放射線画像９０の画像データを受信するとステップＳ１００の判定が肯定判定となり、ステップＳ１０２へ移行する。
【００９９】
ステップＳ１０２で第１表示制御部８２は、受信した画像データが表す放射線画像９０を表示部５８に表示させる制御を行う。図１０には、表示部５８に表示された放射線画像９０の一例を示す。図１０に示した放射線画像９０は、被検者の乳房に対応する乳房画像９０Ｗが含まれ、乳房画像９０Ｗには、乳腺に対応する乳腺画像９０Ｇが含まれる。
【０１００】
また、図１０に示すように本実施形態の第１表示制御部８２は、オンボタン９１、オフボタン９２、及び終了ボタン９３をさらに表示部５８に表示させる。オンボタン９１は、画像目盛７２を表示させる場合にユーザによって操作されるボタンである。オフボタン９２は、表示されている画像目盛７２を非表示にさせる場合にユーザによって操作されるボタンである。終了ボタン９３は、放射線画像９０の表示を終了させる場合にユーザによって操作されるボタンである。なお、本実施形態では、放射線画像９０等の「表示」について、表示状態から非表示状態に切り替わることを「終了」といい、例えば、表示部５８に表示されている放射線画像９０を表示部５８から消すことをいう。
【０１０１】
次のステップＳ１０４で第２表示制御部８４は、超音波画像の撮影を行うか否かを判定する。換言すると、第２表示制御部８４は、放射線画像の撮影後に、圧迫板３４による乳房の圧迫状態を維持したままで超音波画像の撮影を続けて行う、連続撮影を行うか否かを判定する。一例として、本実施形態の第２表示制御部８４は、撮影オーダに、放射線画像及び超音波画像の両方の撮影が指示されていた場合、または、操作部５６によりユーザが超音波画像の撮影を行う旨を指示した場合に、超音波画像の撮影を行うと判定する。
【０１０２】
超音波画像の撮影を行わない場合、ステップＳ１０４の判定が否定判定となり、ステップＳ１２６へ移行する。一方、超音波画像の撮影を行う場合、ステップＳ１０４の判定が肯定判定となり、ステップＳ１０６へ移行する。
【０１０３】
ステップＳ１０６で第２表示制御部８４は、マンモグラフィ装置１０の検出部８０から、圧迫板３４の種類の検出結果を取得する。
【０１０４】
次のステップＳ１０８で第２表示制御部８４は、記憶部５２に記憶されている画像目盛情報５３（図５Ａ参照）を参照し、上記ステップＳ１０６で取得した検出結果が表す圧迫板３４の種類に対応する圧迫板ＩＤに対応付けられている画像目盛７２を特定する。図１１には、第２表示制御部８４が特定した画像目盛７２の一例を示す。図１１に示した画像目盛７２は、圧迫板目盛７０（図４Ｂ参照）と同様に、実線及び点線を含む格子状の複数の線と、複数の線の各々を識別する記号を含む。具体的には、画像目盛７２は、１３本の横線を含み、各横線にＡ〜Ｍまでのアルファベットが付与されている。また、画像目盛７２は、１１本の縦線を含み、各縦線に１〜１１までの番号が付与されている。本実施形態の放射線画像撮影システム２では、横線を表すアルファベットと、縦線を表す数字の組み合わせにより、放射線画像９０上の位置を特定する。
【０１０５】
なお、上述したように圧迫板目盛７０が付与されていない種類の圧迫板３４の場合、画像目盛情報５３の圧迫板ＩＤには、画像目盛ＩＤが対応付けられていない。例えば、図５Ａに示した画像目盛情報５３によれば圧迫板ＩＤが「Ｂ００１０」の場合、画像目盛ＩＤが対応付けられていない。この場合、第２表示制御部８４は、画像目盛７２を非表示とすることを特定する。
【０１０６】
次のステップＳ１１０で第２表示制御部８４は、画像目盛７２を表示させるか否かを判定する。具体的には、第２表示制御部８４は、上記ステップＳ１０８において、画像目盛７２を非表示とすることを特定したか否かを判定する。画像目盛７２を表示させない場合、ステップＳ１１０の判定が否定判定となり、ステップＳ１２６へ移行する。一方、画像目盛７２を表示させる場合、ステップＳ１１０の判定が肯定判定となり、ステップＳ１１２へ移行する。
【０１０７】
ステップＳ１１２で第２表示制御部８４は、上記ステップＳ１０８で特定した画像目盛７２を表示部５８に表示されている放射線画像９０に対して表示させる制御を行う。図１２には、図１１に示した画像目盛７２を、表示部５８に表示された放射線画像９０に対して表示させた状態の一例を示す。
【０１０８】
次のステップＳ１１４で第２表示制御部８４は、画像目盛７２の表示をオフにさせる指示を受付部８６が受け付けたか否かを判定する。本実施形態では、表示部５８に表示されているオフボタン９２がユーザによって操作されていない場合、ステップＳ１１４の判定が否定判定となり、ステップＳ１１８へ移行する。一方、オフボタン９２がユーザによって操作された場合、ステップＳ１１４の判定が肯定判定となり、ステップＳ１１６へ移行する。
【０１０９】
ステップＳ１１６で第２表示制御部８４は、表示部５８に表示されている画像目盛７２を非表示とさせる制御を行う。本制御により、表示部５８における放射線画像９０及び画像目盛７２の表示状態が、図１２に示した状態から図１０に示した状態へと変化する。
【０１１０】
次のステップＳ１１８で第２表示制御部８４は、画像目盛７２の表示をオンにさせる指示を受付部８６が受け付けたか否かを判定する。本実施形態では、表示部５８に表示されているオンボタン９１がユーザによって操作されていない場合、ステップＳ１１８の判定が否定判定となり、ステップＳ１２２へ移行する。一方、オンボタン９１がユーザによって操作された場合、ステップＳ１１８の判定が肯定判定となり、ステップＳ１２０へ移行する。
【０１１１】
ステップＳ１２０で第２表示制御部８４は、表示部５８に表示されている放射線画像９０に対して画像目盛７２を表示させる制御を行う。本制御により、表示部５８における放射線画像９０及び画像目盛７２の表示状態が、図１０に示した状態から図１２に示した状態へと変化する。
【０１１２】
表示部５８に表示されている放射線画像９０に対して、画像目盛７２が表示されることにより、ユーザは乳腺画像９０Ｇの位置を画像目盛７２により識別することができる。例えば、図１２に示した例では、乳腺画像９０Ｇの位置は、画像目盛７２の線Ｆと線４とが交差する「Ｆ４」の位置であると識別することができる。なお、乳腺画像９０Ｇの位置の特定方法は、画像目盛７２の横線（線Ａ〜線Ｍ）及び縦線（線１〜線１１）が交差する位置により特定する方法に限定されない。例えば、乳腺画像９０Ｇを囲む画像目盛７２の線によって特定する方法を用いてもよい。例えば、図１２に示した乳腺画像９０Ｇの場合、画像目盛７２の線Ｅ、線Ｇ、線３、及び線５で囲まれる領域内であるとの位置を乳腺画像９０Ｇの位置として特定してもよい。この場合、例えば、乳腺画像９０Ｇが小さく、画像目盛７２における位置を特定するための線の交差部分に乳腺画像９０Ｇが架からない場合であっても乳腺画像９０Ｇの位置を適切に特定することができる。
【０１１３】
また、複数の線の各々によって形成される複数の格子のうち、乳腺画像９０Ｇが含まれる格子の位置を乳腺画像９０Ｇの位置として特定する方法を用いてもよい。例えば、図１２に示した乳腺画像９０Ｇの場合、４つの格子、具体的には、線Ｅ、線Ｆ、線３、及び線４による格子と、線Ｅ、線Ｆ、線４、及び線５による格子と、線Ｆ、線Ｇ、線３、及び線４による格子と、線Ｆ、線Ｇ、線４、及び線５による格子との位置を放射線画像９０の位置として特定してもよい。なお、この場合、各格子の面積に対する、各格子に含まれる乳腺画像９０Ｇの大きさ（面積）が、予め定められた割合以上の格子を乳腺画像９０Ｇが含まれる格子とみなしてもよい。
【０１１４】
ユーザは、超音波画像撮影装置１６により、画像目盛７２によって特定された乳腺画像９０Ｇの位置に基づき、圧迫板３４により圧迫状態とされている乳房の超音波画像を撮影する。具体的には、ユーザは、圧迫板３４の上面３４Ａに、エコーゼリー等の音響マッチング部材（図示省略）を塗布する。さらに、ユーザは、音響マッチング部材により覆われた、圧迫板３４の上面３４Ａを超音波プローブ６５により超音波で走査することで超音波画像を撮影する。撮影された超音波画像は、超音波画像撮影装置１６の表示部６８に表示される。
【０１１５】
なお連続撮影を行う場合、放射線画像の撮影を行う状態と、超音波画像の撮影を行う状態とで、乳房の圧迫状態が完全に同一ではなくてもよく、例えば、圧迫板３４により乳房を圧迫する圧迫力または圧迫圧力を変化させてもよい。上述したように、圧迫板３４により乳房を圧迫することによって乳腺組織の重なりを展開する。そのため、乳腺組織の重なり具合、換言すると乳腺組織の展開具合が変化しない程度、または変化してもその変化量が許容範囲内である程度ならば、圧迫力または圧迫圧力を変化させることが可能である。一例として、放射線画像の撮影の開始から超音波画像の撮影が終了するまで乳房の圧迫状態として、撮影台４０の撮影面４０Ａに接する乳房の面積が変化しない程度に乳房を圧迫し続ければよい。従って、マンモグラフィ装置１０では、撮影面４０Ａに接する乳房の面積に応じて、放射線画像の撮影後、超音波画像の撮影を行う前に乳房の圧迫を弱めてもよい。
【０１１６】
次のステップＳ１２２で第２表示制御部８４は、超音波画像の撮影が終了したか否かを判定する。一例として本実施形態では、超音波画像の撮影が終了すると、ユーザがマンモグラフィ装置１０の操作部２６により圧迫の解除を指示する。そこで、本実施形態の第２表示制御部８４は、操作部２６により、圧迫の解除が指示された場合、超音波画像の撮影を終了すると判定する。
【０１１７】
超音波画像の撮影が終了していない場合、換言すると、圧迫の解除が指示されていない場合、ステップＳ１２２の判定が否定判定となり、ステップＳ１１４に戻り、ステップＳ１１６〜Ｓ１２０の処理を繰り返す。一方、超音波画像の撮影が終了した場合、換言すると、圧迫の解除が指示された場合、ステップＳ１２２の判定が肯定判定となり、ステップＳ１２４へ移行する。
【０１１８】
ステップＳ１２４で第２表示制御部８４は、表示部５８に表示されている放射線画像９０に対する画像目盛７２の表示を終了する。本処理により、表示部５８における放射線画像９０及び画像目盛７２の表示状態が、図１２に示した状態から図１０に示した状態へと変化する。
【０１１９】
次のステップＳ１２６で第１表示制御部８２は、放射線画像９０の表示を終了するか否かを判定する。本実施形態では、表示部５８に表示されている終了ボタン９３がユーザによって操作されていない場合、ステップＳ１２６の判定が否定判定となる。一方、終了ボタン９３がユーザによって操作された場合、ステップＳ１２６の判定が肯定判定となり、ステップＳ１２８へ移行する。
【０１２０】
ステップＳ１２８で第１表示制御部８２が、放射線画像９０の表示を終了させると、本表示制御処理が終了する。
【０１２１】
なお、表示制御処理のステップＳ１０４で第２表示制御部８４が超音波画像を撮影するか否かを判定する方法は、上述した方法に限定されず、例えば、下記変形例１〜変形例３の方法を適用してもよい。
【０１２２】
（変形例１）
被写体である乳房の乳腺量に応じて、第２表示制御部８４が、超音波画像を撮影するか否かを判定する形態としてもよい。超音波画像の撮影は、乳腺組織が重なり易い乳腺領域に対して行うことが多い、そのため、乳腺量が比較的多い場合を、超音波画像の撮影を行う場合とすることができる。
【０１２３】
図１３には、この場合の本変形例のマンモグラフィ装置１０及びコンソール１２の構成の一例の機能ブロック図を示す。図１３に示したコンソール１２は、取得部８７をさらに備える点で、上記図６に示したコンソール１２の形態と異なる。一例として本変形例のコンソール１２は、制御部５０のＣＰＵ５０ＡがＲＯＭ５０Ｂに記憶されている表示制御処理プログラム５１を実行することにより、制御部５０が、取得部８７として機能する。
【０１２４】
取得部８７は、放射線検出器３０が撮影した放射線画像から乳腺量を表す乳腺量情報を取得し、取得した乳腺量情報を第２表示制御部８４に出力する。なお、放射線画像から乳腺量の導出を行うのは、例えば、取得部８７が行ってもよいし、マンモグラフィ装置１０が行ってもよい。乳房の乳腺量を導出する方法は特に限定されない。放射線画像から乳腺量を導出する方法としては、例えば、特開２０１０−２５３２４５号公報に記載の、放射線画像と、放射線画像から推定された脂肪画像とに基づいて、乳腺含有率を推定する技術等の公知の方法を用いてもよい。
【０１２５】
第２表示制御部８４には、取得部８７から乳腺量情報が入力される。第２表示制御部８４は、入力された乳腺量情報に基づいて、超音波画像の撮影を行うか否かを判定する。一例として本変形例では、乳腺量情報が表す乳腺量が乳腺量閾値以上の場合、乳腺量が多いため超音波画像の撮影を行う。なお、第２表示制御部８４が判定に用いる乳腺量閾値は、例えば、実験的に予め得ておいてもよい。また例えば、乳腺量閾値は、乳房の厚み等に応じて異なる値としてもよい。
【０１２６】
図１４には、本変形例のコンソール１２における表示制御処理の流れの一例を表したフローチャートの一部が示されている。図１４に示すように、本変形例の表示制御処理は、ステップＳ１０４に代わり、ステップＳ１０４Ａ及びステップＳ１０４Ｂの各処理を含む点で、本実施形態の表示制御処理（図９参照）と異なっている。
【０１２７】
図１４のステップＳ１０４Ａで取得部８７は、上述したように、乳腺量情報を取得し、取得した乳腺量情報を第２表示制御部８４に出力する。
【０１２８】
次のステップＳ１０４Ｂで第２表示制御部８４は、乳腺量情報が表す乳腺量が乳腺量閾値以上であるか否かを判定する。乳腺量が乳腺量閾値以上の場合、ステップＳ１０４Ｂの判定が肯定判定となり、超音波画像を撮影する場合に該当するため、上述のステップＳ１０６（図９参照）へ移行する。一方、乳腺量が乳腺量閾値以上ではない場合、換言すると乳腺量が乳腺量閾値未満の場合、ステップＳ１０４Ｂの判定が否定判定となり、超音波画像を撮影しない場合に該当するため、上述のステップＳ１２６（図９参照）へ移行する。
【０１２９】
（変形例２）
被写体である乳房の乳腺領域に応じて、第２表示制御部８４が、超音波画像を撮影するか否かを判定する形態としてもよい。乳腺量が多いほど、乳腺領域の大きさが大きくなる傾向がある。変形例１で上述したように、超音波画像の撮影は、乳腺組織が重なり易い乳腺領域に対して行うことが多い、そのため、乳腺量が比較的多い場合を、超音波画像の撮影を行う場合とすることができる。
【０１３０】
本変形例のコンソール１２の構成も、変形例１のコンソール１２（図１３参照）と同様に、取得部８７をさらに備える。
【０１３１】
取得部８７は、放射線検出器３０が撮影した放射線画像から乳房における乳腺の領域を表す領域情報を取得し、取得した領域情報を第２表示制御部８４に出力する。なお、放射線画像から乳腺領域の導出を行うのは、例えば、取得部８７が行ってもよいし、マンモグラフィ装置１０が行ってもよい。乳腺の領域を導出する方法は特に限定されない。例えば、乳腺組織に対応する乳腺組織画素を放射線画像から検出し、検出した乳腺領域画素が予め定められた数以上、固まっている領域を、乳腺領域として導出することができる。なお、乳腺組織画素の検出方法も特に限定されず、例えば、特開２０１０−２５３２４５号公報等に記載された技術を適用することができる。この公報に記載された技術を適用する場合、まず、放射線画像を、乳房画像と直接領域とに分割し、次いで、乳房画像内における、大胸筋領域を抽出して、乳房画像から大胸筋領域を除く。そして、大胸筋領域が除かれた乳房画像内で放射線Ｒの透過量が閾値以下の画素を、乳腺組織領域画素として検出する。
【０１３２】
第２表示制御部８４には、取得部８７から領域情報が入力される。第２表示制御部８４は、入力された領域情報に基づいて、超音波画像の撮影を行うか否かを判定する。一例として本変形例では、領域情報が表す乳腺領域の大きさが領域閾値以上の場合、乳腺量が多いため超音波画像の撮影を行う。なお、第２表示制御部８４が判定に用いる領域閾値は、例えば、実験的に予め得ておいてもよい。また例えば、領域閾値は、乳房の厚み等に応じて異なる値としてもよい。
【０１３３】
図１５には、本変形例のコンソール１２における表示制御処理の流れの一例を表したフローチャートの一部が示されている。図１５に示すように、本変形例の表示制御処理は、ステップＳ１０４に代わり、ステップＳ１０４Ｃ及びステップＳ１０４Ｄの各処理を含む点で、本実施形態の表示制御処理プログラム（図９参照）と異なっている。
【０１３４】
図１５のステップＳ１０４Ｃで取得部８７は、上述したように、領域情報を取得し、取得した領域情報を第２表示制御部８４に出力する。
【０１３５】
次のステップＳ１０４Ｄで第２表示制御部８４は、領域情報が表す乳腺領域の大きさが領域閾値以上であるか否かを判定する。乳腺領域の大きさが領域閾値以上の場合、ステップＳ１０４Ｄの判定が肯定判定となり、超音波画像を撮影する場合に該当するため、上述のステップＳ１０６（図９参照）へ移行する。一方、乳腺領域の大きさが領域閾値以上ではない場合、換言すると乳腺領域の大きさが領域閾値未満の場合、ステップＳ１０４Ｄの判定が否定判定となり、超音波画像を撮影しない場合に該当するため、上述のステップＳ１２６（図９参照）へ移行する。
【０１３６】
（変形例３）
放射線画像の撮影後に、圧迫板３４により乳房の圧迫状態を維持している時間に応じて、第２表示制御部８４が、超音波画像を撮影するか否かを判定する形態としてもよい。放射線画像９０の撮影後、超音波画像の撮影を行わない場合、撮影された放射線画像９０の写損等の確認後、被検者の負担を軽減するために速やかに圧迫板３４による圧迫を解除する場合が多い。一方、放射線画像９０の撮影後、超音波画像の撮影を行う場合、上記のように放射線画像９０の確認後に、超音波画像の撮影に移行するため、超音波画像の撮影を行わない場合に比べて長時間、乳房の圧迫状態が維持される。そのため、放射線画像９０の撮影後に乳房を所定時間以上、圧迫し続けている場合を、超音波画像の撮影を行う場合とすることができる。
【０１３７】
本変形例のマンモグラフィ装置１０及びコンソール１２の構成は、本実施形態のマンモグラフィ装置１０及びコンソール１２の構成（図６参照）と同様であるため、説明を省略する。
【０１３８】
図１６には、本変形例のコンソール１２における表示制御処理の流れの一例を表したフローチャートの一部が示されている。図１６に示すように、本変形例の表示制御処理は、ステップＳ１０４に代わり、ステップＳ１０４Ｅ及びステップＳ１０４Ｆの各処理を含む点で、本実施形態の表示制御処理（図９参照）と異なっている。
【０１３９】
図１６のステップＳ１０４Ｅで第２表示制御部８４は、マンモグラフィ装置１０において乳房の圧迫が解除されたか否かを判定する。具体的には本実施形態の第２表示制御部８４は、マンモグラフィ装置１０において、ユーザにより乳房の圧迫の解除が指示されたか否かを判定する。圧迫の解除が指示されていない場合、ステップＳ１０４Ｅの判定が否定判定となり、ステップＳ１０４Ｆへ移行する。
【０１４０】
ステップＳ１０４Ｆで第２表示制御部８４は、マンモグラフィ装置１０から放射線画像９０の画像データを受信してから、所定時間が経過したか否かを判定する。放射線画像９０の画像データを受信してから所定時間が経過していない場合、換言すると、放射線画像９０の画像データを受信してからの経過時間が所定時間未満の場合、ステップＳ１０４Ｆの判定が否定判定となり、ステップＳ１０４Ｅに移行する。一方、放射線画像９０の画像データを受信してから所定時間が経過した場合、放射線画像９０の撮影後から所定時間以上が経過したことになり、超音波画像を撮影する場合に該当するため、上述のステップＳ１０６（図９参照）へ移行する。
【０１４１】
一方、圧迫の解除が指示された場合、上記ステップＳ１０４Ｅの判定が肯定判定となり、超音波画像を撮影しない場合に該当するため、上述のステップＳ１２６（図９参照）へ移行する。
【０１４２】
なお、本変形例において超音波画像の撮影を行うか否かの判定に用いる上記ステップＳ１０４Ｆの所定時間は、例えば、実験的に予め得ておいてもよい。また例えば、ユーザによる設定が可能であってもよい。
【０１４３】
また、本実施形態では、表示部５８に表示されたオンボタン９１及びオフボタン９２により、画像目盛７２の表示及び非表示の切り替えが可能な形態としたが、画像目盛７２の表示及び非表示の切り替えを可能とする形態は本形態に限定されない。
【０１４４】
例えば、受付部８６が、ユーザが操作部５６によって指定した、表示部５８に表示された放射線画像９０上の位置を受け付けた場合、放射線画像９０に対して画像目盛７２を表示させ、放射線画像９０の位置の指定を受け付けていない場合、画像目盛７２を非表示とすることで画像目盛７２の表示及び非表示を切り替える形態としてもよい。具体例としては、表示部５８に表示されたポインタ（図示省略）が、ユーザの操作により放射線画像９０上に位置する場合、画像目盛７２を表示させ、放射線画像９０上以外に位置する場合、画像目盛７２を非表示とさせる形態としてもよい。さらにこの場合、乳房画像９０Ｗ上の位置が指定されているか否か、または乳腺画像９０Ｇ上の位置が指定されているか否かにより、画像目盛７２の表示及び非表示を切り替える形態としてもよい。
【０１４５】
［第２実施形態］
以下、第２実施形態について詳細に説明する。
【０１４６】
本実施形態の医用撮影システム１の構成（図１参照）、及び放射線画像撮影システム２の構成（図２参照）は第１実施形態と同様であるため説明を省略する。また、本実施形態のマンモグラフィ装置１０及びコンソール１２の機能的な構成の一例は、第１実施形態の変形例２におけるマンモグラフィ装置１０及びコンソール１２の機能的な構成（図１３参照）と同様であるため説明を省略する。
【０１４７】
一方、本実施形態の表示制御処理は、第１実施形態の表示制御処理（図９参照）と一部の処理が異なっているため、本実施形態の表示制御処理について説明する。図１７には、本実施形態のコンソール１２における表示制御処理の流れの一例を表したフローチャートの一部が示されている。図１７に示すように、本実施形態の表示制御処理は、ステップＳ１１０とステップＳ１１２との間に、ステップＳ１１１の処理を含む点で、第１実施形態の表示制御処理（図１１参照）と異なっている。
【０１４８】
図１７に示すように、本実施形態ではステップＳ１１０で肯定判定となるとステップＳ１１１へ移行する。ステップＳ１１１で第２表示制御部８４は、放射線画像９０から撮影対象の流線領域を特定する。具体的には、第２表示制御部８４は、取得部８７から入力された領域情報に基づいて、領域情報によって表される乳腺領域の大きさが領域閾値以上である領域を、撮影対象の乳腺領域として特定する。
【０１４９】
次のステップＳ１１２で第２表示制御部８４は、上述したように、上記ステップＳ１０８で特定した画像目盛７２を表示部５８に表示されている放射線画像９０に対して表示させる制御を行う。本実施形態の第２表示制御部８４は、乳腺領域の位置が分かり易い表示形態とされている画像目盛７２を表示部５８に表示させる制御を行う。以下では、画像目盛７２のうち乳腺画像９０Ｇの位置を表す目盛（情報）を、乳腺領域識別情報７２Ｇといい、画像目盛７２のうち乳腺画像９０Ｇ以外の位置を表す目盛（情報）を他領域識別情報７２Ｅという。
【０１５０】
図１８Ａには、放射線画像９０に本実施形態の画像目盛７２の一例を表示させた状態の一例を示す。図１８Ａに示した画像目盛７２は、第１実施形態の画像目盛７２（図１１参照）と同様に、複数の線と、複数の線の各々を識別する記号とを含む。画像目盛７２に含まれる複数の線のうち、乳腺画像９０Ｇに対応する部分の線は、他の部分の線と表示形態が異なっている。一例として図１８Ａでは、乳腺領域識別情報７２Ｇである目盛の線は、他領域識別情報７２Ｅである目盛の線に比べて太い点で、乳腺領域識別情報７２Ｇと他領域識別情報７２Ｅとの表示形態が異なっている。なお、図１８Ａでは、乳腺領域識別情報７２Ｇと他領域識別情報７２Ｅとの表示形態を異ならせる例として、各々に対応する目盛の線の太さを異ならせる形態について示したが、表示形態の異ならせ方は、図１８Ａに例示した形態に限定されない。例えば、乳腺領域識別情報７２Ｇ及び他領域識別情報７２Ｅ各々の目盛を表す線の色を異ならせることで表示形態を異ならせてもよいし、各々の目盛を表す線の表示を点滅させる、または非点滅させることにより表示形態を異ならせてもよい。
【０１５１】
また例えば、図１８Ｂに示した画像目盛７２のように、乳腺画像９０Ｇに対応する目盛の線を乳腺領域識別情報７２Ｇとし、各目盛の線を識別する記号を他領域識別情報７２Ｅとしてもよい。
【０１５２】
なお、ユーザが操作部５６を操作して指示を行うことにより、表示部５８に表示されている放射線画像９０の大きさを拡大または縮小する場合がある、この場合、第２表示制御部８４は、拡大または縮小された放射線画像９０の大きさの変化に追従して、画像目盛７２も変化させる。図１８Ｃには、第１表示制御部８２が、ユーザの指示に応じて図１８Ａに示した放射線画像９０の大きさを縮小した放射線画像９０を表示部５８に表示させた形態の一例を示している。図１８Ｃに示すように、第２表示制御部８４は、第１表示制御部８２により縮小された放射線画像９０に追従して、目盛を表す線の間隔等を変化させた画像目盛７２を放射線画像９０に対して表示させる。
【０１５３】
なお、上記表示制御処理のステップＳ１１１において特定した撮影対象の乳腺領域が複数有る場合、複数の乳腺領域の各々毎に、乳腺領域識別情報７２Ｇの表示形態を異ならせてもよい。図１９及び図２０には、撮影対象として３つの乳腺領域が特定された場合に、第２表示制御部８４が、表示部５８に表示されている放射線画像９０に対して表示させる画像目盛７２の一例を示す。図１９及び図２０に示した放射線画像９０の乳房画像９０Ｗには、３つの乳腺領域に対応する乳腺画像９０Ｇ１、９０Ｇ２、及び９０Ｇ３が含まれている。図１９及び図２０に示した画像目盛７２では、乳腺画像９０Ｇ１に対応する乳腺領域識別情報７２Ｇ１である目盛の線、乳腺画像９０Ｇ２に対応する乳腺領域識別情報７２Ｇ２である目盛の線、及び乳腺画像９０Ｇ３に対応する乳腺領域識別情報７２Ｇ３である目盛の線、各々の種類が異なる。
【０１５４】
また、図２０に示した画像目盛７２のように、乳腺画像９０Ｇ１〜９０Ｇ３の各々を識別するための識別子７２Ｇ１ｎ〜７２Ｇ３ｎを付与してもよい。具体的には、識別子７２Ｇ１ｎである「Ｉ」は、乳腺画像９０Ｇ１に対応し、識別子７２Ｇ２ｎである「ＩＩ」は、乳腺画像９０Ｇ２に対応し、識別子７２Ｇ３ｎである「ＩＩＩ」は、乳腺画像９０Ｇ３に対応する。なお、これらの識別子により表される数字（図２０ではローマ数字）は、超音波画像を撮影する撮影順を表していてもよい。識別子７２Ｇ１ｎ〜７２Ｇ３ｎとして数字等、順番を表す識別子である場合、第２表示制御部８４が撮影対象として特定した順等、任意の順に付与してもよいが、操作部５６によってユーザにより指定された順に付与してもよい。
【０１５５】
なお、図１９及び図２０に示したように、放射線画像９０に複数の乳腺画像９０Ｇ（９０Ｇ１〜９０Ｇ３）が含まれ、乳腺画像９０Ｇ毎に、超音波画像の撮影が順次行われる場合、超音波画像の撮影が終了した乳腺画像９０Ｇと、超音波画像の撮影が未だ終了していない乳腺画像９０Ｇとで、対応する乳腺領域識別情報７２Ｇの表示形態を異ならせる形態としてもよい。図２０に示した画像目盛７２に対して、本形態を適用する場合について、図２１Ａ〜図２１Ｄを参照して説明する。本形態では、乳腺画像９０Ｇ１、乳腺画像９０Ｇ２、及び乳腺画像９０Ｇ３の順で、順次、ユーザにより超音波画像の撮影が行われるものとする。乳腺画像９０Ｇ１に対応する乳腺領域の超音波画像の撮影が終了するまで、表示部５８に表示されている画像目盛７２は、図２１Ａに示したように、乳腺領域識別情報７２Ｇ１、７２Ｇ２、及び７２Ｇ３を含む。乳腺画像９０Ｇ１に対応する乳腺領域の超音波画像の撮影が終了すると、第２表示制御部８４は、図２１Ｂに示すように、乳腺領域識別情報７２Ｇ１及び識別子７２Ｇ１ｎを非表示とする。また、乳腺画像９０Ｇ２に対応する乳腺領域の超音波画像の撮影が終了すると、第２表示制御部８４は、図２１Ｃに示すように、乳腺領域識別情報７２Ｇ２及び識別子７２Ｇ２ｎをさらに非表示とする。さらに、乳腺画像９０Ｇ３に対応する乳腺領域の超音波画像の撮影が終了すると、第２表示制御部８４は、図２１Ｄに示すように、乳腺領域識別情報７２Ｇ３及び識別子７２Ｇ３ｎをさらに非表示とする。
【０１５６】
このように、撮影対象となる乳腺領域が複数ある場合、超音波画像の撮影が終了した乳腺画像９０Ｇと、撮影が未だ終了していない乳腺画像９０Ｇとで、対応する乳腺領域識別情報７２Ｇの表示形態を異ならせることにより、撮影済みであるか否かについてユーザが判別し易くなる。
【０１５７】
なお、図２１Ａ〜２１Ｄに示した例では、超音波画像の撮影が終了した乳腺領域に応じた乳腺画像９０Ｇに対応する乳腺領域識別情報７２Ｇを非表示とすることで表示形態を異ならせる形態について説明したが、表示形態の異ならせ方は本形態に限定されるものではない。
【０１５８】
また、各乳腺領域の撮影が終了したか否かを第２表示制御部８４が認識する方法は特に限定されない。ユーザがコンソール１２の表示部５８や、超音波画像撮影装置１６の操作部６６により、終了した旨の指示を行い、ユーザが行った指示を受信した場合、第２表示制御部８４が撮影の終了を認識する形態であってもよい。また例えば、マンモグラフィ装置１０等に撮像装置を備え、ユーザが超音波画像を撮影する様子を撮像装置により撮影する場合、撮像装置により撮影された画像を第２表示制御部８４が解析した解析結果に基づいて、超音波画像の撮影を認識する形態であってもよい。
【０１５９】
このように本実施形態によれば、乳腺領域識別情報７２Ｇと他領域識別情報７２Ｅとで表示形態を異ならせることにより、乳腺画像９０Ｇの位置を判別し易くなる。
【０１６０】
なお、乳腺領域の位置を分かり易い表示形態とした画像目盛７２は上記図１８Ａ〜図２１Ｄのように、画像目盛７２が他領域識別情報７２Ｅ及び乳腺領域識別情報７２Ｇを含む形態に限定されない。例えば、画像目盛７２が、乳腺領域、具体的には乳腺画像９０Ｇの放射線画像９０上の位置を表す情報のみを含む形態であってもよい。図２２には、放射線画像９０に、乳腺画像９０Ｇの位置を表す情報のみの画像目盛７２の一例を表示させた状態の一例を示す。図２２にでは、画像目盛７２として、乳腺画像９０Ｇの近傍に乳腺画像９０Ｇの位置を識別する情報である、「Ｆ４」が表示された状態を示している。図２２に示した例では、「Ｆ４」と表示された画像目盛７２により、ユーザは、圧迫板３４の圧迫板目盛７０における「Ｆ４」の位置が乳腺領域に対応していることを識別することができる。
【０１６１】
また、表示部５８がスピーカ等の音声を出力する機器を含む場合、乳腺画像９０Ｇの位置を、音声により可聴表示する形態としてもよい。例えば、ユーザが超音波画像の撮影を行う位置から、コンソール１２の表示部５８が見え難い場合、乳腺画像９０Ｇの位置が可聴表示されることにより、表示部５８により乳腺画像９０Ｇの位置を確認しなくともよくなり、超音波画像の撮影が行い易くなるため好ましい。
【０１６２】
また、本実施形態では、コンソール１２の第２表示制御部８４が乳腺領域を特定する形態としたが、乳腺領域の特定方法は本実施形態に限定されない。例えば、ユーザが操作部５６を操作することにより、放射線画像９０上で乳腺画像９０Ｇの位置を指定し、ユーザによって指定された位置を取得部８７が取得し、指定された位置に基づいて乳腺領域を特定する形態であってもよい。
【０１６３】
［第３実施形態］
以下、第３実施形態について詳細に説明する。
図２３には、本実施形態の医用撮影システム１における、全体の構成の一例を表す構成図が示されている。図２３に示すように、本実施形態の医用撮影システム１は、第１実施形態の医用撮影システム１（図１参照）が備えていたマンモグラフィ装置１０及び超音波画像撮影装置１６に代わり、医用撮影装置１１を備えている点で第１実施形態と異なる。
【０１６４】
医用撮影装置１１は、第１実施形態のマンモグラフィ装置１０と超音波画像撮影装置１６とを組み合わせた装置であり、換言すると、乳房の放射線画像と超音波画像との撮影が可能な装置である。一例として本実施形態の医用撮影装置１１は、超音波画像の撮影が可能なマンモグラフィ装置である。本実施形態の医用撮影装置１１が、本開示のマンモグラフィ装置の一例に対応する。
【０１６５】
図２４には、本実施形態の医用撮影装置１１及びコンソール１２の構成の一例を表すブロック図が示されている。図２４に示すように、本実施形態の医用撮影装置１１は、第１実施形態のマンモグラフィ装置１０が備えていた構成に加えて、超音波プローブ６５をさらに備えている点が異なっている。医用撮影装置１１が備える超音波プローブ６５は、上記各実施形態の超音波プローブ６５と同様に、いわゆるハンドヘルドタイプであり、超音波プローブ６５をユーザが操作することにより、超音波画像の撮影が可能とされている。なお、一例として本実施形態の医用撮影装置１１では、超音波プローブ６５がマンモグラフィ装置１０に着脱可能に設けられており、例えば、超音波プローブ６５は、アーム部４２に着脱が可能とされている。
【０１６６】
なお、医用撮影装置１１の機能的な構成は、第１実施形態のマンモグラフィ装置１０の機能的な構成（図６参照）と同一であるため、説明を省略する。また、本実施形態のコンソール１２が行う表示制御処理も、第１実施形態のコンソール１２が行う表示制御処理（図９参照）と同様であるため、説明を省略する。
【０１６７】
上述したように、本実施形態の医用撮影装置１１が備える超音波プローブ６５は、いわゆるハンドヘルドタイプである。そのため、連続撮影において放射線画像の撮影の後に、超音波画像の撮影を行う場合、上記各実施形態の放射線画像撮影システム２と同様に、ユーザは、先に撮影された放射線画像９０を参照して、超音波画像の撮影を行う。
【０１６８】
そこで、本実施形態の医用撮影装置１１では、上記第１実施形態と同様にコンソール１２が、表示制御処理を行うことにより、放射線画像９０上の位置と、圧迫板３４上の位置との対応を分かり易くすることができるため、超音波画像の撮影を行い易くすることができる。
【０１６９】
また、本実施形態では、医用撮影装置１１自身が超音波画像の撮影を行う機能を有するため、マンモグラフィ装置１０と超音波画像撮影装置１６とを別体の装置として備える場合に比べて、装置全体を小型化することができる。
【０１７０】
以上説明したように、上記各実施形態の放射線画像撮影システム２は、マンモグラフィ装置１０または医用撮影装置１１と、コンソール１２とを備える。マンモグラフィ装置１０または医用撮影装置１１に設けられる圧迫板３４は、放射線源３６Ｒと放射線検出器３０との間に配置された乳房を圧迫状態にする。また、圧迫板３４は、放射線源３６Ｒによる放射線Ｒが照射される上面３４Ａ、上面３４Ａの反対側である乳房に接する側の下面３４Ｄ、及び上面３４Ａと下面３４Ｄとの間で上面３４Ａに平行な面のいずれかに、上面３４Ａ、下面３４Ｄまたは上記平行な面の面内位置を識別するための圧迫板目盛７０が付与されている。コンソール１２は、第１表示制御部８２と、第２表示制御部８４とを備える。第１表示制御部８２は、マンモグラフィ装置１０または医用撮影装置１１により撮影された放射線画像９０を表示部５８に表示させる制御を行う。第２表示制御部８４は、圧迫板３４の面内位置に対応する放射線画像９０上の位置を表す、画像目盛７２を、表示部５８に表示された放射線画像９０に対して表示させる制御を行う。
【０１７１】
圧迫板３４の種類に応じて、圧迫板３４に設けられた圧迫板目盛７０が異なる場合があるが、上記各実施形態の放射線画像撮影システム２によれば、第２表示制御部８４が圧迫板３４に設けられた圧迫板目盛７０に対応する適切な画像目盛７２を放射線画像９０に対して表示することができる。
【０１７２】
従って、上記構成を有することにより上記実施形態の放射線画像撮影システム２では、連続撮影において先に撮影された放射線画像９０を参照して超音波画像の撮影を行う場合、放射線画像９０上の位置と、圧迫板３４上の位置との対応を分かり易くすることができる。
【０１７３】
放射線画像９０上の位置と、圧迫板３４上の位置との対応を分かり易くすることができるため、例えば、ユーザは圧迫板３４上において、乳腺領域の位置を容易に把握することができ、超音波画像の撮影が行い易くなり、また、適切な領域を撮影することができる。超音波画像の撮影が行い難いと、超音波画像の撮影に要する時間が長くなり、被検者の乳房を圧迫し続けている時間が長くなってしまうため、被検者の負担が増加する場合がある。上記各実施形態の放射線画像撮影システム２によれば、超音波画像の撮影に要する時間が長くなるのを抑制することができるため、被検者の負担が増加するのを抑制することができる。
【０１７４】
また、上記各実施形態のマンモグラフィ装置１０に取り付けられる圧迫板３４に設けられた圧迫板目盛７０は、放射線画像９０に写らない。従って、圧迫板３４に設けられた、位置合わせ用の目盛やマーカ等が放射線画像９０に写り込む場合と異なり、放射線画像９０を読影するユーザの邪魔になることがなく、放射線画像９０の読影を行い易くすることができる。
【０１７５】
また、上記各実施形態の放射線画像撮影システム２では、超音波画像の撮影を行う場合に放射線画像９０に対して画像目盛７２を表示させ、超音波画像の撮影を行わない場合、放射線画像９０に対して画像目盛７２を表示させない。また、上記各実施形態の放射線画像撮影システム２では、放射線画像９０に対する画像目盛７２の表示及び非表示を切り替えることができる。従って、画像目盛７２が放射線画像９０を読影するユーザの邪魔になるのを抑制することができる。
【０１７６】
なお、マンモグラフィ装置１０または医用撮影装置１１に設けられる圧迫板３４は、上記各実施形態において示した圧迫板３４の形態に限定されない。例えば、図２５Ａに示す圧迫板３４のように、上面３４Ａの周囲に、放射線源３６Ｒ側に延びる壁面３４Ｗが設けられていてもよい。また、例えば、図２５Ｂに示す圧迫板３４のように、乳房の形状に合わせて湾曲していてもよく、少なくとも乳房に接する下面３４Ｄが乳房の形状にあわせて、放射線源３６Ｒ側に膨らむ凸状に湾曲している形態であってもよい。
【０１７７】
また例えば、圧迫板３４が、乳房の硬さ及び形状等に応じて、胸壁−乳頭の方向に傾いたり変形したりする形態や、被検者の左右方向に傾いたり変形したりする形態等であってもよい。
【０１７８】
また、例えば、図２５Ｃに示す圧迫板３４のように、圧迫板３４が複数の圧迫部材を含んでいてもよい。図２５Ｃに示した圧迫板３４では、圧迫板目盛７０が上面３４２Ａに付与された圧迫部材３４２が、圧迫部材３４１の上面３４１Ａに設けられた状態を示しており、圧迫部材３４２は、圧迫部材３４１に着脱可能とされている。図２５Ｃに示した圧迫板３４における圧迫部材３４１面が本開示の第１圧迫部材の一例であり、圧迫部材３４２が本開示の第２圧迫部材の一例である。なお、このように複数の圧迫部材を圧迫板３４が含む場合に、圧迫板目盛７０が設けられる位置は、図２５Ｃに示した圧迫板３４における位置に限定されない。例えば、圧迫部材３４１の上面３４１Ａ、下面３４１Ｄ、及び圧迫部材３４２の上面３４２Ａ、下面３４２Ｄのいずれであってもよい。また例えば、圧迫部材３４１の上面３４１Ａと下面３４１Ｄとの間で上面３４１Ａに平行な面、及び圧迫部材３４２の上面３４２Ａと下面３４２Ｄとの間で上面３４２Ａに平行な面に圧迫板目盛７０が設けられていてもよい。一例として図２５Ｄには、圧迫部材３４２の上面３４２Ａと下面３４２Ｄとの間で上面３４２Ａに平行な面に圧迫板目盛７０が設けられている圧迫板３４の一例の側面図を示す。なお、図２５Ｄに示した圧迫板３４が、本開示の第３の面に圧迫板目盛７０が設けられた圧迫板の形態の一例であり、圧迫板目盛７０が設けられている面が、本開示の第３の面の一例である。このように、圧迫板３４内部に、圧迫板目盛７０を設ける方法としては、例えば、レーザ加工により圧迫板３４内部に圧迫板目盛７０を刻む方法や、圧迫板目盛７０を圧迫板３４の内部に埋め込む方法等が挙げられる。
【０１７９】
また、圧迫板目盛７０及び画像目盛７２の各々は、上記各実施形態において示した圧迫板目盛７０及び画像目盛７２の形態に限定されない。例えば、図２６Ａに示す圧迫板目盛７０のように、目盛（位置）を表す記号のみを含む形態であってもよい。また、例えば、図２６Ｂに示す圧迫板目盛７０のように、目盛を表す線が傾いている形態であってもよいし、格子の形状も限定されない。このように、圧迫板目盛７０及び画像目盛７２、各々圧迫板３４上の位置及び放射線画像９０上の位置を識別可能な情報であればその形態は限定されず、さらには目盛の形態でなくてもよい。また、圧迫板３４の上面３４Ａにおける位置と、放射線画像９０上における位置との対応関係が識別可能であれば、圧迫板目盛７０の形態と画像目盛７２の形態とが同一でなくてもよい。例えば、圧迫板目盛７０を図２６Ａに示した形態とし、画像目盛７２を図１１に示した形態としてもよい。
【０１８０】
また、上記各実施形態では、コンソール１２が、本開示の第１表示制御部８２及び第２表示制御部８４として機能する形態について説明したが、第１表示制御部８２及び第２表示制御部８４として機能する装置は、上記各実施形態に限定されない。例えば、超音波画像撮影装置１６等、医用撮影システム１内の他の装置が第１表示制御部８２及び第２表示制御部８４の少なくとも一方として機能する形態であってもよい。また、第１表示制御部８２として機能する装置と、第２表示制御部８４として機能する装置が異なっていてもよい。また、上記各実施形態では、コンソール１２の表示部５８に放射線画像９０を表示させる形態について説明したが、放射線画像９０を表示させる表示装置は、表示部５８に限定されない。例えば、超音波画像撮影装置１６の表示部６８や、医用撮影システム１が携帯端末装置を備える場合、医用撮影システム１が備える携帯端末装置に放射線画像９０を表示させる形態であってもよい。
【０１８１】
上記各実施形態において、例えば検出部８０、第１表示制御部８２、第２表示制御部８４、及び受付部８６といった各種の処理を実行する処理部（processing unit）のハードウェア的な構造としては、次に示す各種のプロセッサ（processor）を用いることができる。上記各種のプロセッサには、上述したように、ソフトウェア（プログラム）を実行して各種の処理部として機能する汎用的なプロセッサであるＣＰＵに加えて、ＦＰＧＡ（Field  Programmable Gate Array）等の製造後に回路構成を変更可能なプロセッサであるプログラマブルロジックデバイス（Programmable Logic Device ：ＰＬＤ）、ＡＳＩＣ（Application Specific Integrated Circuit）等の特定の処理を実行させるために専用に設計された回路構成を有するプロセッサである専用電気回路などが含まれる。
【０１８２】
１つの処理部は、これらの各種のプロセッサのうちの１つで構成されてもよいし、同種または異種の２つ以上のプロセッサの組み合わせ（例えば、複数のＦＰＧＡの組み合わせや、ＣＰＵとＦＰＧＡとの組み合わせ）で構成されてもよい。また、複数の処理部を１つのプロセッサで構成してもよい。
【０１８３】
複数の処理部を１つのプロセッサで構成する例としては、第１に、クライアント及びサーバ等のコンピュータに代表されるように、１つ以上のＣＰＵとソフトウェアの組み合わせで１つのプロセッサを構成し、このプロセッサが複数の処理部として機能する形態が挙げられる。第２に、システムオンチップ（System On Chip：ＳｏＣ）等に代表されるように、複数の処理部を含むシステム全体の機能を１つのＩＣ（Integrated Circuit）チップで実現するプロセッサを使用する形態が挙げられる。このように、各種の処理部は、ハードウェア的な構造として、上記各種のプロセッサの１つ以上を用いて構成される。
【０１８４】
さらに、これらの各種のプロセッサのハードウェア的な構造としては、より具体的には、半導体素子等の回路素子を組み合わせた電気回路（circuitry）を用いることができる。
【０１８５】
また、上記各実施形態では、表示制御処理プログラム５１がＲＯＭ５０Ｂに予め記憶（インストール）されている態様を説明したが、これに限定されない。表示制御処理プログラム５１は、ＣＤ−ＲＯＭ（Compact Disc Read Only Memory）、ＤＶＤ−ＲＯＭ（Digital Versatile Disc Read Only Memory）、及びＵＳＢ（Universal Serial Bus）メモリ等の記録媒体に記録された形態で提供されてもよい。また、表示制御処理プログラム５１は、ネットワークを介して外部装置からダウンロードされる形態としてもよい。
【０１８６】
その他、上記各実施形態で説明した医用撮影システム１、放射線画像撮影システム２、及びマンモグラフィ装置１０等の構成及び動作等は一例であり、本発明の主旨を逸脱しない範囲内において状況に応じて変更可能であることはいうまでもない。また、上記各実施形態を適宜組み合わせてもよいこともいうまでもない。
【符号の説明】
【０１８７】
１  医用撮影システム
２  放射線画像撮影システム
５  ＲＩＳ
１０  マンモグラフィ装置
１１  医用撮影装置
１２  コンソール
１６  超音波画像撮影装置
１８  画像保存システム
２０、５０、６０、７６  制御部
２０Ａ、５０Ａ、６０Ａ、７６Ａ  ＣＰＵ
２０Ｂ、５０Ｂ、６０Ｂ、７６Ｂ  ＲＯＭ
２０Ｃ、５０Ｃ、６０Ｃ、７６Ｃ  ＲＡＭ
２１  撮影処理プログラム
２２、５２、６２、７７  記憶部
２４、５４、６４、７８  Ｉ／Ｆ部
２６、５６、６６  操作部
３０  放射線検出器
３２  圧迫板駆動部
３４  圧迫板、３４１、３４２  圧迫部材、３４Ａ、３４１Ａ、３４２Ａ  上面、３４Ｂ  支持部、３４Ｃ  面、３４Ｄ、３４１Ｄ、３４２Ｄ  下面、３４Ｗ  壁面
３５  圧迫板検出センサ
３６  放射線照射部、３６Ｒ  放射線源
３７  線源移動部
３９、５９、６９、７９  バス
４０  撮影台、４０Ａ  撮影面
４２  アーム部
４４  基台
４５  軸部
４６  圧迫ユニット
５８、６８  表示部
５１  表示制御処理プログラム
５３  画像目盛情報
６５  超音波プローブ
７０  圧迫板目盛
７２  画像目盛、７２Ｅ  他領域識別情報、７２Ｇ、７２Ｇ１〜７２Ｇ３  乳腺領域識別情報、７２Ｇ１ｎ〜７２Ｇ３ｎ  識別子
８０  検出部
８２  第１表示制御部
８４  第２表示制御部
８６  受付部
８７  取得部
９０  放射線画像、９０Ｇ、９０Ｇ１〜９０Ｇ３  乳腺画像、９０Ｗ  乳房画像
９１  オンボタン
９２  オフボタン
９３  終了ボタン
Ｒ  放射線
【図１】
2020192181.tif 000003
【図２】
2020192181.tif 000004
【図３】
2020192181.tif 000005
【図４Ａ】
2020192181.tif 000006
【図４Ｂ】
2020192181.tif 000007
【図５Ａ】
2020192181.tif 000008
【図５Ｂ】
2020192181.tif 000009
【図５Ｃ】
2020192181.tif 000010
【図６】
2020192181.tif 000011
【図７】
2020192181.tif 000012
【図８】
2020192181.tif 000013
【図９】
2020192181.tif 000014
【図１０】
2020192181.tif 000015
【図１１】
2020192181.tif 000016
【図１２】
2020192181.tif 000017
【図１３】
2020192181.tif 000018
【図１４】
2020192181.tif 000019
【図１５】
2020192181.tif 000020
【図１６】
2020192181.tif 000021
【図１７】
2020192181.tif 000022
【図１８Ａ】
2020192181.tif 000023
【図１８Ｂ】
2020192181.tif 000024
【図１８Ｃ】
2020192181.tif 000025
【図１９】
2020192181.tif 000026
【図２０】
2020192181.tif 000027
【図２１Ａ】
2020192181.tif 000028
【図２１Ｂ】
2020192181.tif 000029
【図２１Ｃ】
2020192181.tif 000030
【図２１Ｄ】
2020192181.tif 000031
【図２２】
2020192181.tif 000032
【図２３】
2020192181.tif 000033
【図２４】
2020192181.tif 000034
【図２５Ａ】
2020192181.tif 000035
【図２５Ｂ】
2020192181.tif 000036
【図２５Ｃ】
2020192181.tif 000037
【図２５Ｄ】
2020192181.tif 000038
【図２６Ａ】
2020192181.tif 000039
【図２６Ｂ】
2020192181.tif 000040